(57)【要約】 本発明は、電池充電装置及び電池充電保護制御方法を提供することを開示する。電池充電装置における電源アダプターは、充電制御回路とのデータ通信を行い、電源アダプターがその通信インタフェースが出力した直流に過電圧及び／又は過電流が発生したと判定する時、電源アダプターは、充電制御回路に電子機器における制御器を駆動し、電子機器の通信インタフェースをオフすることを告知し、且つ自ら直流電流の出力をオフする。充電制御回路が電源アダプターの出力電圧及び出力電流を受信し、過電圧及び／又は過電流が発生したと判定する時、充電制御回路は、電源アダプターに直流電流の出力をオフすることを告知し、且つ電子機器における制御器（３００）を駆動し、電子機器の通信インタフェース（２０）をオフする。
2017506054.tif 000002
【特許請求の範囲】
【請求項１】
電池充電装置であって、
前記電池充電装置は、電源アダプターと、充電制御モジュールとを含み、前記充電制御モジュールは、電子機器に内装され、且つ前記電子機器における制御器及び電池に接続され、前記電源アダプターは、その通信インタフェースを介して、前記電子機器の通信インタフェースに接続され、且つ前記電池は、前記電子機器の通信インタフェースを介して、前記電源アダプターから充電を取得し、前記充電制御モジュールは、前記電子機器の通信インタフェースを介して、前記電源アダプターとデータ通信を行い、
前記電池に対する通常の充電或いは急速充電を行う時、前記電源アダプターは、まず、その出力電圧が電圧閾値より大きいか否か、及び出力電流が電流閾値より大きいか否かを判断し、前記出力電圧が電圧閾値より大きい、及び／又は前記出力電流が電流閾値より大きい場合、前記電源アダプターは、前記充電制御モジュールに第１充電遮断指令を送信し、且つ自ら直流電流の出力をオフし、前記充電制御モジュールは、前記第１充電遮断指令に基づいて、前記制御器を駆動し、前記電子機器の通信インタフェースをオフし、前記出力電圧が電圧閾値以下であり、且つ前記出力電流が電流閾値以下である場合、前記電源アダプターは、出力電圧情報及び出力電流情報を前記充電制御モジュールにフィードバックし、前記充電制御モジュールが前記出力電圧情報及び前記出力電流情報に基づいて、前記電源アダプターの出力電圧が電圧閾値より大きい、及び／又は前記電源アダプターの出力電流が電流閾値大きいと判定する時、前記充電制御モジュールは、前記電源アダプターに第２充電遮断指令をフィードバックし、且つ前記制御器を駆動し、前記電子機器の通信インタフェースをオフし、前記電源アダプターは、前記第２充電遮断指令に基づいて、直流電流の出力をオフし、前記充電制御モジュールが前記出力電圧情報及び前記出力電流情報に基づいて、前記電源アダプターの出力電圧が電圧閾値以下であり、且つ前記電源アダプターの出力電流が電流閾値以下であると判定する場合、前記電源アダプターは、続いてその出力電圧及び出力電流に対して判断を行う、
電池充電装置。
【請求項２】
前記アダプターは、
ＥＭＩフィルター回路と、高電圧整流フィルター回路と、隔離変圧器と、出力フィルター回路と、電圧トラッキングと、制御回路とを含み、商用電源が前記ＥＭＩフィルター回路を経て電磁波ノイズフィルタリングを行った後、前記高電圧整流フィルター回路により整流フィルター処理を行い、高電圧直流電流を出力し、前記高電圧直流電流は、前記隔離変圧器を介して電気隔離された後、前記出力フィルター回路に出力されることにより、フィルター処理を行った後、電池に対して充電を行い、前記電圧トラッキングと制御回路は、前記出力フィルター回路の出力電圧に基づいて、前記隔離変圧器の出力電圧を調整し、
前記電源アダプターは、電源モジュールと、主制御モジュールと、電位調整モジュールと、電流検出モジュールと、電圧検出モジュールと、出力スイッチモジュールとを更に含み、
前記電源モジュールの入力ポートは、前記隔離変圧器の二次ポートに接続され、前記主制御モジュールの電源ポート、前記電位調整モジュールの電源ポート及び前記電流検出モジュールの電源ポートは、前記電源モジュールの出力ポートに共通に接続され、前記主制御モジュールの高電位ポート及び前記電位調整モジュールの高電位ポートは、いずれも前記出力フィルター回路の正出力ポートに接続され、前記電位調整モジュールの電位調節ポートは、前記電圧トラッキングと制御回路に接続され、前記電流検出モジュールの直流入力ポートは、前記出力フィルター回路の正出力ポートに接続され、前記電流検出モジュールの電流検出フィードバックポートは、前記主制御モジュールの電流検出ポートに接続され、前記主制御モジュールのクロック出力ポートとデータ出力ポートは、前記電位調整モジュールのクロック入力ポートとデータ入力ポートに接続され、前記電圧検出モジュールの第１検出ポートと第２検出ポートは、各々前記電流検出モジュールの直流電流の出力ポートと前記出力フィルター回路の負出力ポートに接続され、前記電圧検出モジュールの第１出力ポートと第２出力ポートは、各々前記主制御モジュールの第１電圧検出ポートと第２電圧検出ポートに接続され、前記出力スイッチモジュールの入力ポートは、前記電流検出モジュールの直流電流の出力ポートに接続され、前記出力スイッチモジュールの出力ポートは、前記電圧検出モジュールの第３検出ポートに接続され、前記出力スイッチモジュールの接地ポートは、前記出力フィルター回路の負出力ポートに接続され、前記出力スイッチモジュールの被制御ポートと電源ポートは、各々前記主制御モジュールのスイッチ制御ポートと前記隔離変圧器の二次ポートに接続され、前記出力フィルター回路の負出力ポート、前記出力スイッチモジュールの出力ポート、前記主制御モジュールの第１通信ポート及び第２通信ポートは、いずれも前記電源アダプターの通信インタフェースに接続され、
前記電源モジュールは、前記隔離変圧器から電源を取得し、且つ前記主制御モジュール、前記電位調整モジュール及び前記電流検出モジュールに給電し、前記電子機器における電池に対する急速充電を行う時、前記電位調整モジュールは、前記主制御モジュールが送信した制御信号に基づいて、前記電圧トラッキングと制御回路を駆動し、前記隔離変圧器の出力電圧を調整させることにより、前記電池に対する急速充電を行い、前記電流検出モジュールと前記電圧検出モジュールは、各々前記電源アダプターの出力電流と出力電圧に対する検出を行い、且つそれに応じて、電流検出信号及び電圧検出信号を前記主制御モジュールにフィードバックし、前記出力スイッチモジュールは、前記主制御モジュールが送信したスイッチ制御信号に基づいて、前記電源アダプターの直流電流の出力をオンオフし、
前記電池に対する通常の充電或いは急速充電を行う時、前記主制御モジュールは、前記電流検出信号に基づいて、前記電源アダプターの出力電流が電流閾値より大きいか否かを判断し、且つ前記電圧検出信号に基づいて、前記電源アダプターの出力電圧が電圧閾値より大きいか否かを判断し、前記出力電圧が前記電圧閾値より大きい、及び／又は前記出力電流が電流閾値より大きい場合、前記主制御モジュールは、前記充電制御モジュールに第１充電遮断指令を送信し、且つ前記出力スイッチモジュールを制御し、前記電源アダプターの直流電流の出力をオフさせ、前記充電制御モジュールは、前記第１充電遮断指令に基づいて、前記制御器を駆動し、前記電子機器の通信インタフェースをオフし、
前記出力電圧が電圧閾値以下であり、且つ前記出力電流が電流閾値以下である場合、前記主制御モジュールは、前記電圧検出信号及び前記電流検出信号に基づいて、前記充電制御モジュールに出力電圧情報及び出力電流情報をフィードバックし、前記充電制御モジュールは、前記出力電圧情報和前記出力電流情報に基づいて、前記出力電圧が前記電圧閾値より大きいか否かを判断し、且つ前記出力電流が前記電流閾値より大きいか否かを判断し、前記出力電圧が前記電圧閾値より大きい、及び／又は前記出力電流が電流閾値より大きい場合、前記充電制御モジュールは、前記主制御モジュールに第２充電遮断指令をフィードバックし、且つ前記制御器を駆動し、前記電子機器の通信インタフェースをオフし、前記主制御モジュールは、前記第２充電遮断指令に基づいて、前記出力スイッチモジュールを制御し、前記電源アダプターの直流電流の出力をオフする、
請求項１に記載の電池充電装置。
【請求項３】
前記電源モジュールは、
第１コンデンサーと、レギュレーターチップと、第２コンデンサーと、第１インダクターと、第２インダクターと、第１ダイオードと、第２ダイオードと、第３コンデンサーと、第１抵抗器と、第２抵抗器とを含み、
前記第１コンデンサーの第１端と前記レギュレーターチップの入力電源ピンとイネーブルピンとの共通接続点は、前記電源モジュールの入力ポートであり、前記第１コンデンサーの第２端と前記レギュレーターチップのグラウンドピンは、共通に接地され、前記レギュレーターチップのスイッチピンと前記第２コンデンサーの第１端は、前記第１インダクターの第１端に共通に接続され、前記レギュレーターチップの内部スイッチピンと前記第２コンデンサーの第２端は、前記第１ダイオードの陰極に共通に接続され、前記レギュレーターチップのフィードバック電圧ピンは、前記第１抵抗器の第１端及び前記第２抵抗器の第１端に接続され、前記第１インダクターの第２端と前記第２ダイオードの陰極は、前記第２インダクターの第１端に共通に接続され、前記第２インダクターの第２端、前記第１ダイオードの陽極、前記第１抵抗器の第２端及び前記第３コンデンサーの第１端で共通に接続されて形成される共通接続点は、前記電源モジュールの出力ポートであり、前記第２ダイオードの陽極は、前記第２抵抗器の第２端及び前記第３コンデンサーの第２端と共通に接地される、
請求項２に記載の電池充電装置。
【請求項４】
前記主制御モジュールは、
主制御チップと、第３抵抗器と、基準電圧チップと、第４抵抗器と、第５抵抗器と、第４コンデンサーと、第６抵抗器と、第７抵抗器と、第１ＮＭＯＳトランジスターと、第８抵抗器と、第９抵抗器と、第１０抵抗器と、第１１抵抗器と、第１２抵抗器と、第１３抵抗器と、第１４抵抗器とを含み、
前記主制御チップの電源ピンは、前記主制御モジュールの電源ポートであり、前記主制御チップのグラウンドピンは接地され、前記主制御チップの第１入力出力ピンは、未接続され、前記第３抵抗器の第１端は、前記主制御チップの電源ピンに接続され、前記第３抵抗器の第２端と前記第４抵抗器の第１端は、前記基準電圧チップの正極に共通に接続され、前記基準電圧チップの負極は、接地され、前記基準電圧チップＵ３の未接続ピンは、未接続され、前記第４抵抗器の第２端は、前記主制御チップの第２入力出力ピンに接続され、前記主制御チップの第３入力出力ピンは、前記主制御モジュールの電流検出ポートであり、前記主制御チップの第４入力出力ピンは、前記第５抵抗器の第１端に接続され、前記第５抵抗器の第２端と前記第４抵抗器の第１端は、前記主制御チップの電源ピンに共通に接続され、前記第４コンデンサーの第２端は、接地され、前記主制御チップの第５入力出力ピンは、前記主制御モジュールのスイッチ制御ポートであり、前記主制御チップの第６入力出力ピンは、前記第６抵抗器の第１端に接続され、前記第６抵抗器の第２端と前記第１ＮＭＯＳトランジスターのゲート電極は、前記第７抵抗器の第１端に共通に接続され、前記第７抵抗器の第２端と前記第１ＮＭＯＳトランジスターのソース電極は、共通に接地され、前記第１ＮＭＯＳトランジスターのドレイン電極は、前記第８抵抗器の第１端に接続され、前記第８抵抗器の第２端は、前記主制御モジュールの高電位ポートであり、前記主制御チップの第７入力出力ピンと第８入力出力ピンは、それぞれ前記主制御モジュールのクロック出力ポートとデータ出力ポートであり、前記主制御チップの第１０入力出力ピンと第９入力出力ピンは、それぞれ前記主制御モジュールの第１電圧検出ポートと第２電圧検出ポートであり、前記主制御チップの第１１入力出力ピンと前記第１２入力出力ピンは、各々前記第９抵抗器の第１端と前記第１０抵抗器の第１端に接続され、前記第１１抵抗器の第１端と前記第１２抵抗器の第１端は、各々前記第９抵抗器の第２端と前記第１０抵抗器の第２端に接続され、前記第１１抵抗器の第２端と前記第１２抵抗器の第２端は、共通に接地され、前記第１３抵抗器の第１端と前記１４抵抗器の第１端は、各々前記第９抵抗器の第２端と前記第１０抵抗器の第２端に接続され、前記第１３抵抗器の第２端と前記１４抵抗器の第２端は、前記主制御チップの電源ピンに共通に接続され、前記第９抵抗器の第２端と前記第１０抵抗器の第２端は、それぞれ前記主制御モジュールの第１通信ポートと第２通信ポートである、
請求項２に記載の電池充電装置。
【請求項５】
前記電位調整モジュールは、
第１５抵抗器と、第１６抵抗器と、ディジタルポテンショメータと、第１７抵抗器と、第１８抵抗器と、第５コンデンサーと、第６コンデンサーと、第１９抵抗器とを含み、
前記第１５抵抗器の第１端と、前記第１６抵抗器の第１端と、前記ディジタルポテンショメータの電源ピンと、前記第５コンデンサーの第１端との共通接続点は、前記電位調整モジュールの電源ポートであり、前記第５コンデンサーの第２端は、前記第６コンデンサーの第１端、前記ディジタルポテンショメータのグラウンドピン及び前記第１７抵抗器の第１端と共通に接地され、前記第６コンデンサーの第２端は、前記ディジタルポテンショメータの電源ピンに接続され、前記第１５抵抗器の第２端と前記ディジタルポテンショメータの直列データピンとの共通接続点は、前記電位調整モジュールのデータ入力ポートであり、前記第１６抵抗器の第２端と前記ディジタルポテンショメータのクロック入力ピンとの共通接続点は、前記電位調整モジュールのクロック入力ポートであり、前記ディジタルポテンショメータのゼロアドレスピンは、接地され、前記ディジタルポテンショメータの第１電位配線ピンと前記第１８抵抗器の第１端は、前記第１７抵抗器の第２端に共通に接続され、前記第１８抵抗器の第２端と前記ディジタルポテンショメータの第２電位配線ピンは、前記第１９抵抗器の第１端に共通に接続され、前記第１９抵抗器の第２端は、前記電位調整モジュールの高電位ポートであり、前記ディジタルポテンショメータの電位タップポートピンは、前記電位調整モジュールの電位調節ポートである、
請求項２に記載の電池充電装置。
【請求項６】
前記電流検出モジュールは、
第２０抵抗器と、第２１抵抗器と、第２２抵抗器と、第７コンデンサーと、第８コンデンサーと、電流検出チップと、第２３抵抗器と、第１０コンデンサーと、第１０コンデンサーと、第２４抵抗器とを含み、
前記第２０抵抗器の第１端と第２端は、それぞれ前記電流検出モジュールの直流入力ポートと直流電流の出力ポートであり、前記第２１抵抗器の第１端と前記第２２抵抗器の第１端は、各々前記第２０抵抗器の第１端と第２端に接続され、前記第２１抵抗器の第２端と前記第７コンデンサーの第１端は、前記電流検出チップの入力正ピンに共通に接続され、前記第２２抵抗器の第２端と前記第８コンデンサーの第１端は、前記電流検出チップの入力負ピンに共通に接続され、前記電流検出チップの電源ピンと前記第９コンデンサーの第１端との共通接続点は、前記電流検出モジュールの電源ポートであり、前記電流検出チップの未接続ピンは、未接続され、前記電流検出チップの出力ピンは、前記第２３抵抗器の第１端に接続され、前記第２３抵抗器の第２端は、前記電流検出モジュールの電流検出フィードバックポートであり、前記第１０コンデンサーの第１端と前記第２４抵抗器の第１端は、前記第２３抵抗器の第２端に共通に接続され、前記第７コンデンサーの第２端は、前記第８コンデンサーの第２端、前記第９コンデンサーの第２端、前記第１０コンデンサーの第２端、前記第２４抵抗器の第２端、前記電流検出チップのグラウンドピン、前記第１基準電圧ピン及び前記第２基準電圧ピンと共通に接地される、
請求項２に記載の電池充電装置。
【請求項７】
前記電圧検出モジュールは、
第２５抵抗器と、第２６抵抗器と、第１１コンデンサーと、第１２コンデンサーと、第２７抵抗器と、第２８抵抗器とを含み、
前記第２５抵抗器の第１端は、前記電圧検出モジュールの第１検出ポートであり、前記第２５抵抗器の第２端と、前記第２６抵抗器の第１端と、前記第１１コンデンサーの第１端との共通接続点は、前記電圧検出モジュールの第２出力ポートであり、前記第２６抵抗器の第２端は、前記電圧検出モジュールの第２検出ポートであり、前記第１１コンデンサーの第２端は、前記第１２コンデンサーの第１端及び前記第２７抵抗器の第１端と前記第２６抵抗器の第２端に共通に接続され、前記第１２コンデンサーの第２端と、前記第２７抵抗器の第２端と、前記第２８抵抗器の第１端との共通接続点は、前記電圧検出モジュールの第１出力ポートであり、前記第２８抵抗器の第２端は、前記電圧検出モジュールの第３検出ポートである、
請求項２に記載の電池充電装置。
【請求項８】
前記出力スイッチモジュールは、第２９抵抗器と、第３０抵抗器と、第１３コンデンサーと、第３１抵抗器と、第１ＮＰＮ型トライオードと、第３２抵抗器と、第２ＮＰＮ型トライオードと、第３ダイオードと、定電圧ダイオードと、第３３抵抗器と、第３４抵抗器と、第３５抵抗器と、第２ＮＭＯＳトランジスターと、第３ＮＭＯＳトランジスターとを含み、
前記第２９抵抗器の第１端は、前記出力スイッチモジュールの被制御ポートであり、前記第２９抵抗器の第２端と前記第３０抵抗器の第１端は、前記第１ＮＰＮ型トライオードのベース電極に共通に接続され、前記第１３コンデンサーの第１端は、前記第３１抵抗器の第１端及び前記第３２抵抗器の第１端と前記第３ダイオードの陰極に共通に接続され、前記第３ダイオードの陽極は、前記出力スイッチモジュールの電源ポートであり、前記第３１抵抗器の第２端と前記第２ＮＰＮ型トライオードのベース電極は、前記第１ＮＰＮ型トライオードのコレクター電極に共通に接続され、前記第３２抵抗器の第２端は、前記定電圧ダイオードの陰極及び前記第３３抵抗器の第１端と前記第２ＮＰＮ型トライオードのコレクター電極に共通に接続され、前記第３０抵抗器の第２端は、前記第１３コンデンサーの第２端、前記第１ＮＰＮ型トライオードのエミッタ電極、前記第２ＮＰＮ型トライオードのエミッタ電極及び前記定電圧ダイオードの陽極と共通に接地され、前記第３３抵抗器の第２端は、前記第３４抵抗器の第１端、前記第３５抵抗器の第１端、前記第２ＮＭＯＳトランジスターのゲート電極及び前記第３ＮＭＯＳトランジスターのゲート電極と共通に接続され、前記第３４抵抗器の第２端は、前記出力スイッチモジュールの接地ポートであり、前記第２ＮＭＯＳトランジスターのドレイン電極は、前記出力スイッチモジュールの入力ポートであり、前記第２ＮＭＯＳトランジスターのソース電極と前記第３５抵抗器の第２端は、前記第３ＮＭＯＳトランジスターのソース電極に共通に接続され、前記第３ＮＭＯＳトランジスターのドレイン電極は、前記出力スイッチモジュールの出力ポートである、
請求項２に記載の電池充電装置。
【請求項９】
前記充電制御モジュールは、
電池ジョインターと、主制御器と、第１３コンデンサーと、第３６抵抗器と、第３７抵抗器と、第１４コンデンサーと、第１ショットキーダイオードと、第２ショットキーダイオードと、第１５コンデンサーと、第３８抵抗器と、第３９抵抗器と、第４０抵抗器と、第３ＮＰＮ型トライオードと、第４ＮＭＯＳトランジスターと、第５ＮＭＯＳトランジスターとを含み、
前記電池ジョインターは、前記電池の電極に接続され、前記電池ジョインターの第１ピンと第２ピンは、共通に接地され、前記電池ジョインターの第１接地ピンと第２接地ピンは、共通に接地され、前記主制御器の第１入力出力ピンは、前記電池ジョインターの第７ピン及び第８ピンに接続され、前記主制御器の第２入力出力ピン、第７入力出力ピン、第８入力出力ピン及び第９入力出力ピンは、各々前記電池ジョインターの第６ピン、第５ピン、第４ピン及び第３ピンに接続され、前記主制御器のアナロググラウンドピンとグラウンドピンは、いずれも接地され、前記主制御器の第１未接続ピンと第２未接続ピンは、いずれも未接続され、前記主制御器の電源ピンと前記第１３コンデンサーの第１端は、いずれも前記電池ジョインターの第７ピンと第８ピンに共通に接続され、前記主制御器の第４入力出力ピン及び前記第１１入力出力ピンは、前記電子機器における制御器とのデータ通信を行い、前記第３６抵抗器は、前記主制御器の第４入力出力ピンと電源ピンとの間に接続され、前記主制御器の第６入力出力ピンと第１２入力出力ピンは、各々前記アダプターにおける主制御モジュールの第１通信ポートと第２通信ポートに接続され、前記第３７抵抗器の第１端と前記第３８抵抗器の第１端は、前記主制御器の第１０入力出力ポートに共通に接続され、前記第３７抵抗器の第２端は、前記主制御器の電源ピンに接続され、前記第３８抵抗器の第２端は、前記第３ＮＰＮ型トライオードのベース電極に接続され、前記主制御器の第５入力出力ポートは、前記第１４コンデンサーの第１端に接続され、前記第１４コンデンサーの第２端と前記第１ショットキーダイオードの陰極は、前記第２ショットキーダイオードの陽極に共通に接続され、前記第３９抵抗器の第１端と前記第１５コンデンサーの第１端は、前記第２ショットキーダイオードの陰極に共通に接続され、前記第３９抵抗器の第２端は、前記第４０抵抗器の第１端及び前記第３ＮＰＮ型トライオードのコレクター電極といずれも前記第４ＮＭＯＳトランジスターのゲート電極及び前記第５ＮＭＯＳトランジスターのゲート電極に接続され、前記第４０抵抗器の第２端と前記第１５コンデンサーの第２端は、共通に接地され、前記第４ＮＭＯＳトランジスターのソース電極は、前記第１ショットキーダイオードの陽極に接続され、且つ前記電池ジョインターの第７ピン及び第８ピンにも接続され、前記第４ＮＭＯＳトランジスターのドレイン電極は、前記第５ＮＭＯＳトランジスターのドレイン電極に接続され、前記第５ＮＭＯＳトランジスターのソース電極は、前記電子機器の通信インタフェースの電源線に接続され、前記第３ＮＰＮ型トライオードのエミッタ電極は、前記第３ショットキーダイオードの陽極に接続され、前記第３ショットキーダイオードの陰極は、接地される、
請求項１又は２に記載の電池充電装置。
【請求項１０】
前記充電制御モジュールは、第６ＮＭＯＳトランジスターと、第７ＮＭＯＳトランジスターと、第４１抵抗器を更に含み、前記第６ＮＭＯＳトランジスターのソース電極は、前記第５ＮＭＯＳトランジスターのソース電極に接続され、前記第６ＮＭＯＳトランジスターのドレイン電極は、前記第７ＮＭＯＳトランジスターのドレイン電極に接続され、前記第７ＮＭＯＳトランジスターのソース電極は、前記第３ＮＰＮ型トライオードのコレクター電極に接続され、前記第６ＮＭＯＳトランジスターのゲート電極と前記第７ＮＭＯＳトランジスターのゲート電極は、前記第４１抵抗器の第１端に共通に接続され、前記第４１抵抗器の第２端は、接地される、
請求項９に記載の電池充電装置。
【請求項１１】
請求項１に記載の電池充電装置に基づいた電池充電保護制御方法であって、前記電池充電保護制御方法は、
電子機器における電池に対して通常の充電或いは急速充電を行う時、前記電源アダプターは、その出力電圧が電圧閾値より大きいか否かを判断し、且つその出力電流が電流閾値より大きいか否かを判断し、前記出力電圧が電圧閾値より大きい、及び／又は前記出力電流が電流閾値より大きい場合、ステップＢを実行し、前記出力電圧が電圧閾値以下であり、且つ前記出力電流が電流閾値以下である場合、ステップＤを実行するステップＡと、
前記電源アダプターは、前記充電制御モジュールに第１充電遮断指令を送信し、且つ自ら直流電流の出力をオフするステップＢと、
前記充電制御モジュールは、前記第１充電遮断指令に基づいて、前記電子機器における制御器を駆動し、前記電子機器の通信インタフェースをオフするステップＣと、
前記電源アダプターは、出力電圧情報及び出力電流情報を前記充電制御モジュールにフィードバックするステップＤと、
前記充電制御モジュールは、前記出力電圧情報及び前記出力電流情報に基づいて、前記電源アダプターの出力電圧が電圧閾値より大きいか否かを判断し、且つ前記電源アダプターの出力電流が電流閾値より大きいか否かを判断し、前記電源アダプターの出力電圧が電圧閾値より大きい、及び／又は前記電源アダプターの出力電流が電流閾値より大きい場合、ステップＦを実行し、前記電源アダプターの出力電圧が電圧閾値以下であり、且つ前記電源アダプターの出力電流が電流閾値以下である場合、戻ってステップＡを実行するステップＥと、
前記充電制御モジュールは、前記電源アダプターに第２充電遮断指令をフィードバックし、且つ前記制御器を駆動し、前記電子機器の通信インタフェースをオフするステップＦと、
前記電源アダプターは、前記第２充電遮断指令に基づいて、直流電流の出力をオフするステップＧとを含む、
方法。
【請求項１２】
前記ステップＤは、
前記充電制御モジュールは、前記電源アダプターに充電パラメータ取得請求を送信し、
前記電源アダプターは、前記充電パラメータ取得請求に基づいて、出力電圧情報及び出力電流情報を前記充電制御モジュールにフィードバックするステップを含む、
請求項１１に記載の電池充電保護制御方法。
【請求項１３】
前記電池に対して急速充電を行う時、前記ステップＣは、具体的に、
前記充電制御モジュールは、前記第１充電遮断指令に基づいて、前記電源アダプターから直流を引き込んで前記電池に対して充電を行うことを停止し、且つ前記制御器を駆動し、前記電子機器の通信インタフェースをオフする、
請求項１１に記載の電池充電保護制御方法。
【請求項１４】
前記電池に対して急速充電を行う時、前記ステップＦは、
前記充電制御モジュールは、前記電源アダプターに第２充電遮断指令をフィードバックし、
前記充電制御モジュールは、前記電源アダプターから直流を引き込んで前記電池に対する充電を行うことを停止し、且つ前記制御器を駆動し、前記電子機器の通信インタフェースをオフすることを含む、
請求項１１に記載の電池充電保護制御方法。
【発明の詳細な説明】
【技術分野】
【０００１】
本発明は、充電に関し、特に電池充電装置及び電池充電保護制御方法に関する。
【背景技術】
【０００２】
現在、多数の電子機器における電池は、電子機器の通信インタフェースを介して、外部の電源アダプターに接続されることにより、充電を実現しているが、電池充電過程において、充電時間を短縮させるために、従来の技術は、充電電流を増大させることにより、電池に対する急速充電を行う目的を達成することができる。但し、常規定電圧出力方式を適用しても、充電電流を増大させる方式を適用しても、電池に対する充電を行う際、若し充電過程において、電池に対する充電電圧、及び／又は充電電流が大きすぎである場合が発生すると、電池が過電圧及び／又は過電流充電のせいで破損されてしまうことがある。このため、従来の技術では、電子機器における電池に対する通常の充電或いは急速充電を行う時、電池に対する過電圧及び／又は過電流保護を実現できない。
【発明の概要】
【発明が解決しようとする課題】
【０００３】
本発明の目的は、電池充電装置を提供することであり、従来の技術が電子機器における電池に対する通常の充電或いは急速充電を行う時、電池に対する過電圧及び／又は過電流保護を実現できない問題を解決しようとする。
【課題を解決するための手段】
【０００４】
本発明は、下記の通りに実現される。電池充電装置であって、該電池充電装置は、電源アダプターと、充電制御モジュールとを含む。前記充電制御モジュールは、電子機器に内装され、且つ前記電子機器における制御器及び電池に接続され、前記電源アダプターは、その通信インタフェースを介して、前記電子機器の通信インタフェースに接続され、且つ前記電池は、前記電子機器の通信インタフェースを介して、前記電源アダプターから充電を取得し、前記充電制御モジュールは、前記電子機器の通信インタフェースを介して、前記電源アダプターとデータ通信を行う。
【０００５】
前記電池に対する通常の充電或いは急速充電を行う時、前記電源アダプターは、まずその出力電圧が電圧閾値より大きいか否か、及び出力電流が電流閾値より大きいか否かを判断し、若し前記出力電圧が電圧閾値より大きい、及び／又は前記出力電流が電流閾値より大きい場合、前記電源アダプターは、前記充電制御モジュールに第１充電遮断指令を送信し、且つ自ら直流電流の出力をオフし、前記充電制御モジュールは、前記第１充電遮断指令に基づいて、前記制御器を駆動し、前記電子機器の通信インタフェースをオフする。若し前記出力電圧が電圧閾値以下であり、且つ前記出力電流が電流閾値以下である場合、前記電源アダプターは、出力電圧情報及び出力電流情報を前記充電制御モジュールにフィードバックし、前記充電制御モジュールが前記出力電圧情報及び前記出力電流情報に基づいて、前記電源アダプターの出力電圧が電圧閾値より大きい、及び／又は前記電源アダプターの出力電流が電流閾値大きいと判定する時、前記充電制御モジュールは、前記電源アダプターに第２充電遮断指令をフィードバックし、且つ前記制御器を駆動し、前記電子機器の通信インタフェースをオフさせ、前記電源アダプターは、前記第２充電遮断指令に基づいて、直流電流の出力をオフする。前記充電制御モジュールが前記出力電圧情報及び前記出力電流情報に基づいて、前記電源アダプターの出力電圧が電圧閾値以下であり、且つ前記電源アダプターの出力電流が電流閾値以下であると判定した場合、前記電源アダプターは、続いてその出力電圧及び出力電流に対して判断を行う。
【０００６】
本発明のもう一つの目的は、上記の電池充電装置に基づいた電池充電保護制御方法を更に提供することであり、前記電池充電保護制御方法は、下記のステップＡ〜Ｇを含む。
【０００７】
Ａ：電子機器における電池に対する通常の充電或いは急速充電を行う時、前記電源アダプターは、その出力電圧が電圧閾値より大きいか否かを判断し、且つその出力電流が電流閾値より大きいか否かを判断し、前記出力電圧が電圧閾値より大きい、及び／又は前記出力電流が電流閾値より大きい場合、ステップＢを実行し、前記出力電圧が電圧閾値以下であり、且つ前記出力電流が電流閾値以下である場合、ステップＤを実行する。
【０００８】
Ｂ：前記電源アダプターは、前記充電制御モジュールに第１充電遮断指令を送信し、且つ自ら直流電流の出力をオフする。
【０００９】
Ｃ：前記充電制御モジュールは、前記第１充電遮断指令に基づいて、前記電子機器における制御器を駆動し、前記電子機器の通信インタフェースをオフする。
【００１０】
Ｄ：前記電源アダプターは、出力電圧情報及び出力電流情報を前記充電制御モジュールにフィードバックする。
【００１１】
Ｅ：前記充電制御モジュールは、前記出力電圧情報及び前記出力電流情報に基づいて、前記電源アダプターの出力電圧が電圧閾値より大きいか否かを判断し、且つ前記電源アダプターの出力電流が電流閾値より大きいか否かを判断し、前記電源アダプターの出力電圧が電圧閾値より大きい、及び／又は前記電源アダプターの出力電流が電流閾値より大きい場合、ステップＦを実行し、前記電源アダプターの出力電圧が電圧閾値以下であり、且つ前記電源アダプターの出力電流が電流閾値以下である場合、戻ってステップＡを実行する。
【００１２】
Ｆ：前記充電制御モジュールは、前記電源アダプターに第２充電遮断指令をフィードバックし、且つ前記制御器を駆動し、前記電子機器の通信インタフェースをオフする。
【００１３】
Ｇ：前記電源アダプターは、前記第２充電遮断指令に基づいて、直流電流の出力をオフする。
【発明の効果】
【００１４】
本発明は、電源アダプターと、充電制御モジュールとを含む電池充電装置を適用して、電子機器における電池に対する充電制御を行い、電池に対する通常の充電或いは急速充電を行う過程において、電源アダプターは、充電制御モジュールとのデータ通信を行い、電源アダプターがその通信インタフェースが出力した直流に過電圧及び／又は過電流が発生したと判定する時、電源アダプターは、充電制御モジュールに電子機器における制御器を駆動し、電子機器の通信インタフェースをオフすることを告知し、且つ自ら直流電流の出力をオフする。充電制御モジュールが電源アダプターの出力電圧及び出力電流を受信した時、過電圧及び／又は過電流が発生したと判定する場合、充電制御モジュールは、電源アダプターに直流電流の出力をオフすることを告知し、且つ電子機器における制御器を駆動し、電子機器の通信インタフェースをオフすることにより、電源アダプターの通信インタフェースに過電圧及び／又は過電流出力が発生した時、電池に対する過電圧及び／又は過電流保護を実現する。
【図面の簡単な説明】
【００１５】
【図１】本発明の実施例が提供する電池充電装置のトポロジカル構成図である。
【図２】図１に示す電池充電装置に基づく電池充電保護制御方法を実現するフローチャートである。
【図３】図１に示す電池充電装置における電源アダプターの例示的なモジュール構成図である。
【図４】図３に示す電源アダプターの例示的な回路構成図である。
【図５】図１に示す電池充電装置における充電制御モジュールの例示的な回路構成図である。
【図６】図１に示す電池充電装置における充電制御モジュールのもう一つの例示的な回路構成図である。
【発明を実施するための形態】
【００１６】
本発明の目的、技術方案、及び利点をより明らかにするするために、以下、図面及び実施例を結合しながら、本発明を更に詳細に説明することにする。理解すべきことは、ここで説明される具体的な実施例は、本発明を解釈するだけのために用いられ、本発明を制限するものではない。
【００１７】
図１は、本発明の実施例が提供する電池充電装置のトポロジカル構造を示している。説明の便宜上、本発明の実施例に関連される部分だけを示すが、その詳細は、下記の通りである。
【００１８】
本発明の実施例が提供する電池充電装置は、電源アダプター１００と、充電制御モジュール２００とを含む。充電制御モジュール２００は、電子機器に内装され、且つ電子機器における制御器３００と、電池４００とに接続され、電源アダプター２００は、その通信インタフェース１０を介して、電子機器の通信インタフェース２０に接続され、且つ電池４００は、電子機器の通信インタフェース２０を介して、電源アダプターから充電を取得し、充電制御モジュール２００は、電子機器の通信インタフェース２０を介して、電源アダプター１００とデータ通信を行う。
【００１９】
電池４００に対する通常の充電或いは急速充電を行う時、電源アダプター１００は、まず、その出力電圧が電圧閾値より大きいか否か、及び出力電流が電流閾値より大きいか否かを判断し、若し電源アダプター１００の出力電圧が電圧閾値より大きい、及び／又は電源アダプター１００の出力電流が電流閾値より大きい場合、電源アダプター１００は、充電制御モジュール２００に第１充電遮断指令を送信し、且つ自ら直流電流の出力をオフし、充電制御モジュール２００は、第１充電遮断指令に基づいて、制御器３００を駆動し、電子機器の通信インタフェース２０をオフする。若し電源アダプター１００の出力電圧が電圧閾値以下であり、且つ電源アダプター１００の出力電流が電流閾値以下である場合、電源アダプター１００は、出力電圧情報及び出力電流情報を充電制御モジュール２００にフィードバックし、充電制御モジュール２００が上記の出力電圧情報及び出力電流情報に基づいて、電源アダプター１００の出力電圧が電圧閾値より大きい、及び／又は電源アダプター１００の出力電流が電流閾値大きいと判定する場合、充電制御モジュール２００は、電源アダプター１００に第２充電遮断指令をフィードバックし、且つ制御器３００を駆動し、電子機器の通信インタフェース２０をオフさせ、電源アダプター１００は、第２充電遮断指令に基づいて、直流電流の出力をオフする。充電制御モジュール２００が上記の出力電圧情報及び出力電流情報に基づいて、電源アダプター１００の出力電圧が電圧閾値以下であり、且つ電源アダプター１００の出力電流が電流閾値以下であると判定する場合、電源アダプター１００は、続いてその出力電圧及び出力電流に対する判断を行う。
【００２０】
図１に示す電池充電装置に基づいて、本発明の実施例は、電池充電保護制御方法を更に提供する。図２に示すように、該電池充電保護制御方法は、下記のステップＳ１〜Ｓ７を含む。
【００２１】
Ｓ１：電子機器における電池４００に対する通常の充電或いは急速充電を行う時、電源アダプター１００は、その出力電圧が電圧閾値より大きいかを判断し、且つその出力電流が電流閾値より大きいか否かを判断し、出力電圧が電圧閾値より大きい、及び／又は出力電流が電流閾値より大きい場合、ステップＳ２を実行し、出力電圧が電圧閾値以下であり、且つ出力電流が電流閾値以下である場合、ステップＳ４を実行する。
【００２２】
Ｓ２：電源アダプター１００は、充電制御モジュール２００に第１充電遮断指令を送信し、且つ自ら直流電流の出力をオフする。
【００２３】
Ｓ３：充電制御モジュール２００は、第１充電遮断指令に基づいて、制御器３００を駆動し、電子機器の通信インタフェース２０をオフする。
【００２４】
Ｓ４：電源アダプター１００は、出力電圧情報及び出力電流情報を充電制御モジュール２００にフィードバックする。
【００２５】
Ｓ５：充電制御モジュール１００は、出力電圧情報及び出力電流情報に基づいて、電源アダプター１００の出力電圧が電圧閾値より大きいか否かを判断し、且つ電源アダプター１００の出力電流が電流閾値より大きいか否かを判断し、電源アダプター１００の出力電圧が電圧閾値より大きい、及び／又は電源アダプター１００の出力電流が電流閾値大きい場合、ステップＳ６を実行し、電源アダプター１００の出力電圧が電圧閾値以下であり、且つ電源アダプター１００の出力電流が電流閾値以下である場合、戻ってステップＳ１を実行する。
【００２６】
Ｓ６：充電制御モジュール２００は、電源アダプター１００に第２充電遮断指令をフィードバックし、且つ制御器３００を駆動し、電子機器の通信インタフェース２０をオフする。
【００２７】
Ｓ７：電源アダプター１００は、第２充電遮断指令に基づいて、直流電流の出力をオフする。
【００２８】
その中で、電圧閾値及と電流閾値は、それぞれ予め設定した最大電圧値と最大電流値である。
【００２９】
尚、ステップＳ４は、具体的には、下記のステップを含む。
【００３０】
充電制御モジュール２００は、電源アダプター１００に充電パラメータ取得請求を送信する。
【００３１】
電源アダプター１００は、充電パラメータ取得請求に基づいて、出力電圧情報及び出力電流情報を充電制御モジュール２００にフィードバックする。
【００３２】
電池４００に対する急速充電を行う時、充電制御モジュール２００は、電源アダプター１００から直流を引き込んで電池４００に対する充電を行い、電池に対する充電電流を増大させることにより、電池に対する急速充電を実現するため、電源アダプター１００の出力に過電圧及び／又は過電流現象が存在する場合、充電制御モジュール ２００は、制御器３００を駆動し、電子機器の通信インタフェース２０をオフする同時に、更には、電源アダプター１００からの直流の引き込みを停止すべきである。このため、ステップＳ３は、具体的には、以下の通りである。
【００３３】
充電制御モジュール２００は、第１充電遮断指令に基づいて、電源アダプター１００から直流を引き込んで電池４００に対する充電を行うことをオフし、且つ制御器３００を駆動し、電子機器の通信インタフェース２０をオフする。
【００３４】
ステップＳ６は、具体的には、下記のステップを含む。
【００３５】
充電制御モジュール２００は、電源アダプター１００に第２充電遮断指令をフィードバックする。
【００３６】
充電制御モジュール２００は、電源アダプター１００から直流を引き込んで電池４００に対する充電を行うことを停止し、且つ制御器３００を駆動し、電子機器の通信インタフェース２０をオフする。
【００３７】
上記の電池充電保護制御方法の実現において依存された電池充電装置に対して、その例示的なモジュール構成を図３に示す。説明の便宜上、本発明の実施例に関連される部分だけを示すが、その詳細は、下記の通りである。
【００３８】
電源アダプター１００は、ＥＭＩフィルター回路１０１と、高電圧整流フィルター回路１０２と、隔離変圧器１０３と、出力フィルター回路１０４と、電圧トラッキングと制御回路１０５とを含む。商用電源がＥＭＩフィルター回路１０１を経て電磁波ノイズフィルタリングを行った後、高電圧整流フィルター回路１０２により整流フィルター処理され、高電圧直流電流を出力し、該高電圧直流電流は、隔離変圧器１０３を介して電気隔離されて後、出力フィルター回路１０４に出力されることにより、フィルター処理を行った後、電池４００に対する充電を行い、電圧トラッキングと制御回路１０５は、出力フィルター回路１０４の出力電圧に基づいて、隔離変圧器１０３の出力電圧に対する調整を行う。
【００３９】
電源アダプター１００は、電源モジュール１０６と、主制御モジュール１０７と、電位調整モジュール１０８と、電流検出モジュール１０９と、電圧検出モジュール１１０と、出力スイッチモジュール１１１とを更に含む。
【００４０】
電源モジュール１０６の入力ポートは、隔離変圧器１０３の二次ポートに接続され、主制御モジュール１０７の電源ポート、電位調整モジュール１０８の電源ポート、及び電流検出モジュール１０９の電源ポートは、電源モジュール１０８の出力ポートに共通に接続され、主制御モジュール１０７の高電位ポート及び電位調整モジュール１０８の高電位ポートは、いずれも出力フィルター回路１０４の正出力ポートに接続され、電位調整モジュール１０８の電位調節ポートは、電圧トラッキングと制御回路１０５に接続され、電流検出モジュール１０９の直流入力ポートは、出力フィルター回路１０４の正出力ポートに接続され、電流検出モジュール１０９の電流検出フィードバックポートは、主制御モジュール１０７の電流検出ポートに接続され、主制御モジュール１０７のクロック出力ポートとデータ出力ポートは、電位調整モジュール１０８のクロック入力ポートとデータ入力ポートに接続され、電圧検出モジュール１１０の第１検出ポートと第２検出ポートは、各々電流検出モジュール１０９の直流電流の出力ポートと出力フィルター回路１０４の負出力ポートに接続され、電圧検出モジュール１１０の第１出力ポートと第２出力ポートは、各々主制御モジュール１０７の第１電圧検出ポートと第２電圧検出ポートに接続され、出力スイッチモジュール１１１の入力ポートは、電流検出モジュール１０９の直流電流の出力ポートに接続され、出力スイッチモジュール１１１の出力ポートは、電圧検出モジュール１１０の第３検出ポートに接続され、出力スイッチモジュール１１１の接地ポートは、出力フィルター回路 １０４の負出力ポートに接続され、出力スイッチモジュール１１１の被制御ポートと電源ポートは、各々主制御モジュール１０７のスイッチ制御ポートと隔離変圧器１０３の二次ポートに接続され、出力フィルター回路１０４の出力負極端、出力スイッチモジュール１１１の出力ポート、主制御モジュール１０７の第１通信ポート、及び第２通信ポートは、いずれも電源アダプター１００の通信インタフェース１０に接続される。
【００４１】
電源モジュール１０６は、隔離変圧器１０３から電源を取得し、且つ主制御モジュール１０７、電位調整モジュール１０８及び電流検出モジュール１０９に給電する。電子機器における電池４００に対する急速充電を行う時、電位調整モジュール１０８は、主制御モジュール１０７が送信した制御信号に基づいて、電圧トラッキングと制御回路１０５を駆動し、隔離変圧器１０３の出力電圧に対する調整を行わせる。電流検出モジュール１０９と電圧検出モジュール１１０は、各々電源アダプター１００の出力電流と出力電圧に対する検出を行い、且つそれに応じて電流検出信号と電圧検出信号を主制御モジュール１０７にフィードバックする。出力スイッチモジュール１１１は、主制御モジュール１０７が送信したスイッチ制御信号に基づいて、電源アダプター１００の直流電流の出力をオンオフする。
【００４２】
電子機器における電池４００に対する通常の充電或いは急速充電を行う時、主制御モジュール１０７は、上記の電流検出信号に基づいて、電源アダプター１００の出力電流が電流閾値より大きいか否かを判断し、且つ上記の電圧検出信号に基づいて、電源アダプター１００の出力電圧が電圧閾値より大きいか否かを判断し、電源アダプター１００の出力電圧が電圧閾値より大きい、及び／又は電源アダプター１００の出力電流が電流閾値大きい場合、主制御モジュール１０７は、充電制御モジュール２００に第１充電遮断指令を送信し、且つ出力スイッチモジュール１１１を制御し、電源アダプター１００の直流電流の出力をオフし、充電制御モジュール２００は、上記の第１充電遮断指令に基づいて、制御器３００を駆動し、電子機器の通信インタフェース２０をオフする。電源アダプター１００の出力電圧が電圧閾値以下であり、且つ電源アダプター１００の出力電流が電流閾値以下である場合、主制御モジュール１０７は、上記の電圧検出信号及び電流検出信号に基づいて、充電制御モジュール２００に出力電圧情報及び出力電流情報をフィードバックし、充電制御モジュール１００は、出力電圧情報及び出力電流情報に基づいて、電源アダプター１００の出力電圧が電圧閾値より大きいかを判断し、且つ電源アダプター１００の出力電流が電流閾値より大きいか否かを判断し、若し電源アダプター１００の出力電圧が電圧閾値より大きい、及び／又は電源アダプター１００の出力電流が電流閾値より大きい場合、充電制御モジュール２００は、主制御モジュール１０７に第２充電遮断指令をフィードバックし、且つ制御器３００を駆動し、電子機器の通信インタフェース２０をオフさせ、主制御モジュール１０７は、上記の第２充電遮断指令に基づいて、出力スイッチモジュール１１１を制御し、電源アダプター１００の直流電流の出力をオフする。
【００４３】
その中で、上記の主制御モジュール１０７は、電圧検出信号及び電流検出信号に基づいて、充電制御モジュール２００に出力電圧情報及び出力電流情報をフィードバックすることは、具体的には、
充電制御モジュール２００は、主制御モジュール１０７に充電パラメータ取得請求を送信し、主制御モジュール１０７は、該充電パラメータ取得請求に基づいて、出力電圧情報及び出力電流情報を充電制御モジュール２００にフィードバックする。
【００４４】
電池４００に対する急速充電を行う時、充電制御モジュール２００は、電源アダプター１００から直流を引き込んで電池４００に対する充電を行い、電池に対する充電電流を増大させることにより、電池に対する急速充電を実現するため、電源アダプター１００の出力に過電圧及び／又は過電流現象が存在する場合、充電制御モジュール２００は、制御器３００を駆動し、電子機器の通信インタフェース２０をオフすると同時に、更には、電源アダプター１００からの直流の引き込みを停止すべきである。このため、上記の充電制御モジュール２００は、上記の第１充電遮断指令に基づいて、制御器３００を駆動し、電子機器の通信インタフェース２０をオフする内容は、具体的には、
充電制御モジュール２００は、第１充電遮断指令に基づいて、電源アダプター１００から直流を引き込んで電池４００に対する充電を行うことを停止し、且つ制御器３００を駆動し、電子機器の通信インタフェース２０をオフする。
【００４５】
上記の充電制御モジュール２００は、主制御モジュール１０７に第２充電遮断指令をフィードバックする内容は、具体的には、以下の通りである。
【００４６】
充電制御モジュール２００は、主制御モジュール１０７に第２充電遮断指令をフィードバックし、且つ充電制御モジュール２００は、電源アダプター１００から直流を引き込んで電池４００に対する充電を行うことをオフし、且つ制御器３００を駆動し、電子機器の通信インタフェース２０をオフする。
【００４７】
図４は、上記の電源アダプター１００の例示的な回路構成を示している。説明の便宜上、本発明の実施例に関連される部分だけを示すが、その詳細は、下記の通りである。
【００４８】
電源モジュール１０６は、
第１コンデンサーＣ１と、レギュレーターチップＵ１と、第２コンデンサーＣ２と、第１インダクターＬ１と、第２インダクターＬ２と、第１ダイオードＤ１と、第２ダイオードＤ２と、第３コンデンサーＣ３と、第１抵抗器Ｒ１と、第２抵抗器Ｒ２とを含む。
【００４９】
第１コンデンサーＣ１の第１端とレギュレーターチップＵ１の入力電源ピンＶＩＮ及びイネーブルピンＥＮの共通接続点は、電源モジュール１０６の入力ポートであり、第１コンデンサーＣ１の第２端とレギュレーターチップＵ１のグラウンドピンＧＮＤは、共通に接地され、レギュレーターチップＵ１のスイッチピンＳＷと第２コンデンサーＣ２の第１端は、第１インダクターＬ１の第１端に共通に接続され、レギュレーターチップＵ１の内部スイッチピンＢＯＯＳＴと第２コンデンサーＣ２の第２端は、第１ダイオードＤ１の陰極に共通に接続され、レギュレーターチップＵ１のフィードバック電圧ピンＦＢは、第１抵抗器Ｒ１の第１端及び第２抵抗器Ｒ２の第１端に接続され、第１インダクターＬ１の第２端と第２ダイオードＤ２の陰極は、第２インダクターＬ２の第１端に共通に接続され、第２インダクターＬ２の第２端が第１ダイオードＤ１の陽極、第１抵抗器Ｒ１の第２端及び第３コンデンサーＣ３の第１端とで共通に接続されて形成される共通接続点は、電源モジュール１０６の出力ポートであり、第２ダイオードＤ２の陽極と、第２抵抗器Ｒ２の第２端と、第３コンデンサーＣ３の第２端は、共通に接地される。その中で、電源モジュール１０６は、レギュレーターチップＵ１を核心として、隔離変圧器１０３の二次ポート電圧に対する電圧変換処理を行った後、+３.３Ｖの電圧を出力し、主制御モジュール１０７、電位調整モジュール１０８及び電流検出モジュール１０９に給電する。レギュレーターチップＵ１は、具体的には、モデルがＭＣＰ１６３０１である減電圧タイプの直流／直流変換器であって可能である。
【００５０】
主制御モジュール１０７は、
主制御チップＵ２と、第３抵抗器Ｒ３と、基準電圧チップＵ３と、第４抵抗器Ｒ４と、第５抵抗器Ｒ５と、第４コンデンサーＣ４と、第６抵抗器Ｒ６と、第７抵抗器Ｒ７と、第１ＮＭＯＳトランジスターＱ１と、第８抵抗器Ｒ８と、第９抵抗器Ｒ９と、第１０抵抗器Ｒ１０と、第１１抵抗器Ｒ１１と、第１２抵抗器Ｒ１２と、第１３抵抗器Ｒ１３と、第１４抵抗器Ｒ１４とを含む。
【００５１】
主制御チップＵ３の電源ピンＶＤＤは、主制御モジュール１０７の電源ポートであり、主制御チップＵ３のグラウンドピンＶＳＳは接地され、主制御チップＵ３の第１入力出力ピンＲＡ０は未接続され、第３抵抗器Ｒ３の第１端は、主制御チップＵ３の電源ピンＶＤＤに接続され、第３抵抗器Ｒ３の第２端と第４抵抗器Ｒ４の第１端は、基準電圧チップＵ３の正極ＣＡＴＨＯＤＥに共通に接続され、基準電圧チップＵ３の負極ＡＮＯＤＥは接地され、基準電圧チップＵ３の未接続ピンＮＣは、未接続され、第４抵抗器Ｒ４の第２端は、主制御チップＵ２の第２入力出力ピンＲＡ１に接続され、主制御チップＵ２の第３入力出力ピンＲＡ２は、主制御モジュール１０７の電流検出ポートであり、主制御チップＵ２の第４入力出力ピンＲＡ３は、第５抵抗器Ｒ５の第１端に接続され、第５抵抗器Ｒ５の第２端と第４コンデンサーＣ４の第１端は、主制御チップＵ２の電源ピンＶＤＤに共通に接続され、第４コンデンサーＣ４の第２端は、接地され、主制御チップＵ２の第５入力出力ピンＲＡ４は、主制御モジュール１０７のスイッチ制御ポートであり、主制御チップＵ２の第６入力出力ピンＲＡ５は、第６抵抗器Ｒ６の第１端に接続され、第６抵抗器Ｒ６の第２端と第１ＮＭＯＳトランジスターＱ１のゲート電極は、第７抵抗器Ｒ７の第１端に共通に接続され、第７抵抗器Ｒ７の第２端と第１ＮＭＯＳトランジスターＱ１のソース電極は、共通に接地され、第１ＮＭＯＳトランジスターＱ１のドレイン電極は、第８抵抗器Ｒ８の第１端に接続され、第８抵抗器Ｒ８の第２端は、主制御モジュール１０７の高電位ポートであり、主制御チップＵ２の第７入力出力ピンＲＣ０と第８入力出力ピンＲＣ１は、それぞれ主制御モジュール１０７のクロック出力ポートとデータ出力ポートであり、主制御チップＵ２の第１０入力出力ピンＲＣ３と第９入力出力ピンＲＣ２は、それぞれ主制御モジュール１０７の第１電圧検出ポートと第２電圧検出ポートであり、主制御チップＵ２の第１１入力出力ピンＲＣ４と第１２入力出力ピンＲＣ５は、各々第９抵抗器Ｒ９の第１端と第１０抵抗器Ｒ１０の第１端に接続され、第１１抵抗器Ｒ１１の第１端と第１２抵抗器Ｒ１２の第１端は、各々第９抵抗器Ｒ９の第２端と第１０抵抗器Ｒ１０の第２端に接続され、第１１抵抗器Ｒ１１の第２端と第１２抵抗器Ｒ１２の第２端は、共通に接地され、第１３抵抗器Ｒ１３の第１端と１４抵抗器Ｒ１４の第１端は、各々第９抵抗器Ｒ９の第２端と第１０抵抗器Ｒ１０の第２端に接続され、第１３抵抗器Ｒ１３の第２端と１４抵抗器Ｒ１４の第２端は、主制御チップＵ２の電源ピンＶＤＤに共通に接続され、第９抵抗器Ｒ９の第２端と第１０抵抗器Ｒ１０の第２端は、それぞれ主制御モジュール１０７の第１通信ポートと第２通信ポートである。その中で、主制御チップＵ２は、具体的には、モデルがＰＩＣ１２ＬＦ１８２２、ＰＩＣ１２Ｆ１８２２、ＰＩＣ１６ＬＦ１８２３或いはＰＩＣ１６Ｆ１８２３である単一チップマイコンであってもよく、基準電圧チップＵ３は、モデルがＬＭ４０４０である電圧基準器であってもよい。
【００５２】
電位調整モジュール１０８は、
第１５抵抗器Ｒ１５と、第１６抵抗器Ｒ１６と、ディジタルポテンショメータＵ４と、第１７抵抗器Ｒ１７と、第１８抵抗器Ｒ１８と、第５コンデンサーＣ５と、第６コンデンサーＣ６と、第１９抵抗器Ｒ１９とを含む。
【００５３】
第１５抵抗器Ｒ１５の第１端と第１６抵抗器Ｒ１６の第１端、ディジタルポテンショメータＵ４の電源ピンＶＤＤと第５コンデンサーＣ５の第１端との共通接続点は、電位調整モジュール１０８の電源ポートであり、第５コンデンサーＣ５の第２端は、第６コンデンサーＣ６の第１端、ディジタルポテンショメータＵ４のグラウンドピンＶＳＳ及び第１７抵抗器Ｒ１７の第１端と共通に接地され、第６コンデンサーＣ６の第２端は、ディジタルポテンショメータＵ４の電源ピンＶＤＤに接続され、第１５抵抗器Ｒ１５の第２端とディジタルポテンショメータＵ４の直列データピンＳＤＡとの共通接続点は、電位調整モジュール１０８のデータ入力ポートであり、第１６抵抗器Ｒ１６の第２端とディジタルポテンショメータＵ４のクロック入力ピンＳＣＬとの共通接続点は、電位調整モジュール１０８のクロック入力ポートであり、ディジタルポテンショメータＵ４のゼロアドレスピンＡ０は接地され、ディジタルポテンショメータＵ４の第１電位配線ピンＰ０Ａと第１８抵抗器Ｒ１８の第１端は、第１７抵抗器Ｒ１７の第２端に共通に接続され、第１８抵抗器Ｒ１８の第２端とディジタルポテンショメータＵ４の第２電位配線ピンＰ０Ｂは、第１９抵抗器Ｒ１９の第１端に共通に接続され、第１９抵抗器Ｒ１９の第２端は、電位調整モジュール１０８の高電位ポートであり、ディジタルポテンショメータＵ４の電位タップポートピンＰ０Ｗは、電位調整モジュール１０８の電位調節ポートである。その中で、ディジタルポテンショメータＵ４は、主制御チップＵ２が出力したクロック信号及びデータ信号に基づいて、内部の滑り抵抗器を調整することにより、内部滑り抵抗器のタップポート端（即ち、ディジタルポテンショメータＵ４の電位タップポートピンＰ０Ｗ）の電位に変化が発生し、更には、電圧トラッキングと制御回路１０５が該電位■化に沿って、隔離変圧器１０３の出力電圧に対する調整を行わせる。ディジタルポテンショメータＵ４は、具体的には、ＭＣＰ４５Ｘ１のディジタルポテンショメータであって可能である。
【００５４】
電流検出モジュール１０９は、
第２０抵抗器Ｒ２０と、第２１抵抗器Ｒ２１と、第２２抵抗器Ｒ２２と、第７コンデンサーＣ７と、第８コンデンサーＣ８と、電流検出チップＵ５と、第２３抵抗器Ｒ２３と、第１０コンデンサーＣ９と、第１０コンデンサーＣ１０と、第２４抵抗器Ｒ２４とを含む。
【００５５】
第２０抵抗器Ｒ２０の第１端と第２端は、それぞれ電流検出モジュール１０９の直流入力ポートと直流電流の出力ポートであり、第２１抵抗器Ｒ２１の第１端と第２２抵抗器Ｒ２２の第１端は、各々第２０抵抗器Ｒ２０の第１端と第２端に接続され、第２１抵抗器Ｒ２１の第２端と第７コンデンサーＣ７の第１端は、電流検出チップＵ５の入力正ピンＩＮ+に共通に接続され、第２２抵抗器Ｒ２２の第２端と第８コンデンサーＣ８の第１端は、電流検出チップＵ５の入力負ピンＩＮ-に共通に接続され、電流検出チップＵ５の電源ピンＶ+と第９コンデンサーＣ９の第１端との共通接続点は、電流検出モジュール１０９の電源ポートであり、電流検出チップＵ５の未接続ピンＮＣは、未接続され、電流検出チップＵ５の出力ピンＯＵＴは、第２３抵抗器Ｒ２３の第１端に接続され、第２３抵抗器Ｒ２３の第２端は、電流検出モジュール１０９の電流検出フィードバックポートであり、第１０コンデンサーＣ１０の第１端及び第２４抵抗器Ｒ２４の第１端は、第２３抵抗器Ｒ２３の第２端に共通に接続され、第７コンデンサーＣ７の第２端は、第８コンデンサーＣ８の第２端、第９コンデンサーＣ９の第２端、第１０コンデンサーＣ１０の第２端、第２４抵抗器Ｒ２４の第２端、電流検出チップＵ５のグラウンドピンＧＮＤ、第１基準電圧ピンＲＥＦ１及び第２基準電圧ピンＲＥＦ２と共通に接地される。その中で、第２０抵抗器Ｒ２０は、電流検出抵抗器として出力フィルター回路１０４の出力電流（即ち、電源アダプター１００の出力電流）に対するサンプリングを行ってから、電流検出チップＵ５を介して、第２０抵抗器Ｒ２０両ポートの電圧に基づいて、電流検出信号を主制御チップＵ２に出力する。電流検出チップＵ５は、具体的には、モデルがＩＮＡ２８６である電流分流モニターであって可能である。
【００５６】
電圧検出モジュール１１０は、
第２５抵抗器Ｒ２５と、第２６抵抗器Ｒ２６と、第１１コンデンサーＣ１１と、第１２コンデンサーＣ１２と、第２７抵抗器Ｒ２７と、第２８抵抗器Ｒ２８とを含む。
【００５７】
第２５抵抗器Ｒ２５の第１端は、電圧検出モジュール１１０の第１検出ポートであり、第２５抵抗器Ｒ２５の第２端と第２６抵抗器Ｒ２６の第１端及び第１１コンデンサーＣ１１の第１端との共通接続点は、電圧検出モジュール１１０の第２出力ポートであり、第２６抵抗器Ｒ２６の第２端は、電圧検出モジュール１１０の第２検出ポートであり、第１１コンデンサーＣ１１の第２端は、第１２コンデンサーＣ１２の第１端及び第２７抵抗器Ｒ２７の第１端と第２６抵抗器Ｒ２６の第２端に共通に接続され、第１２コンデンサーＣ１２の第２端と第２７抵抗器Ｒ２７の第２端及び第２８抵抗器Ｒ２８の第１端との共通接続点は、電圧検出モジュール１１０の第１出力ポートであり、第２８抵抗器Ｒ２８の第２端は、電圧検出モジュール１１０の第３検出ポートである。
【００５８】
出力スイッチモジュール１１１は、
第２９抵抗器Ｒ２９と、第３０抵抗器Ｒ３０と、第１３コンデンサーＣ１３と、第３１抵抗器Ｒ３１と、第１ＮＰＮ型トライオードＮ１と、第３２抵抗器Ｒ３２と、第２ＮＰＮ型トライオードＮ２と、第３ダイオードＤ３と、定電圧ダイオードＺＤと、第３３抵抗器Ｒ３３と、第３４抵抗器Ｒ３４と、第３５抵抗器Ｒ３５と、第２ＮＭＯＳトランジスターＱ２と、第３ＮＭＯＳトランジスターＱ３とを含む。
【００５９】
第２９抵抗器Ｒ２９の第１端は、出力スイッチモジュール１１１の被制御ポートであり、第２９抵抗器Ｒ２９の第２端と第３０抵抗器Ｒ３０の第１端は、第１ＮＰＮ型トライオードＮ１のベース電極に共通に接続され、第１３コンデンサーＣ１３の第１端は、第３１抵抗器Ｒ３１の第１端及び第３２抵抗器Ｒ３２の第１端と第３ダイオードＤ３の陰極に共通に接続され、第３ダイオードＤ３の陽極は、出力スイッチモジュール１１１の電源ポートであり、第３１抵抗器Ｒ３１の第２端と第２ＮＰＮ型トライオードＮ２のベース電極は、第１ＮＰＮ型トライオードＮ１のコレクター電極に共通に接続され、第３２抵抗器Ｒ３２の第２端は、定電圧ダイオードＺＤの陰極及び第３３抵抗器Ｒ３３の第１端と第２ＮＰＮ型トライオードＮ２のコレクター電極に共通に接続され、第３０抵抗器Ｒ３０の第２端は、第１３コンデンサーＣ１３の第２端、第１ＮＰＮ型トライオードＮ１のエミッタ電極、第２ＮＰＮ型トライオードＮ２のエミッタ電極及び定電圧ダイオードＺＤの陽極と共通に接地され、第３３抵抗器Ｒ３３の第２端は、第３４抵抗器Ｒ３４の第１端、第３５抵抗器Ｒ３５の第１端、第２ＮＭＯＳトランジスターＱ２のゲート電極及び第３ＮＭＯＳトランジスターＱ３のゲート電極と共通に接続され、第３４抵抗器Ｒ３４の第２端は、出力スイッチモジュール１１１の接地ポートであり、第２ＮＭＯＳトランジスターＱ２のドレイン電極は、出力スイッチモジュール１１１の入力ポートであり、第２ＮＭＯＳトランジスターＱ２のソース電極と第３５抵抗器Ｒ３５の第２端は、第３ＮＭＯＳトランジスターＱ３のソース電極に共通に接続され、第３ＮＭＯＳトランジスターＱ３のドレイン電極は、出力スイッチモジュール１１１の出力ポートである。その中で、第２ＮＭＯＳトランジスターＱ２と第３ＮＭＯＳトランジスターＱ３は、同時に開通或いは遮断されることにより、電源アダプター１００の直流電流の出力をオンオフする。
【００６０】
図５は、上記の充電制御モジュール２００の例示的な回路構成を示している。説明の便宜上、本発明の実施例に関連される部分だけを示すが、その詳細は、下記の通りである。
【００６１】
充電制御モジュール２００は、
電池ジョインターＪ１と、主制御器Ｕ６と、第１３コンデンサーＣ１３と、第３６抵抗器Ｒ３６と、第３７抵抗器Ｒ３７と、第１４コンデンサーＣ１４と、第１ショットキーダイオードＳＤ１と、第２ショットキーダイオードＳＤ２と、第１５コンデンサーＣ１５と、第３８抵抗器Ｒ３８と、第３９抵抗器Ｒ３９と、第４０抵抗器Ｒ４０と、第３ＮＰＮ型トライオードＮ３と、第４ＮＭＯＳトランジスターＱ４と、第５ＮＭＯＳトランジスターＱ５とを含む。
【００６２】
電池ジョインターＪ１は、電池３００の複数の電極に接続され、電池ジョインターＪ１の第１ピン５Ａ−１と第２ピン５Ａ−２は、共通に接地され、電池ジョインターＪ１の第１接地ピンＧＮＤ１と第２接地ピンＧＮＤ２は、共通に接地され、主制御器Ｕ６の第１入力出力ピンＲＡ０は、電池ジョインターＪ１の第７ピン５Ａ−３及び第８ピン５Ａ−４に接続され、主制御器Ｕ６の第２入力出力ピンＲＡ１、第７入力出力ピンＲＣ０、第８入力出力ピンＲＣ１及び第９入力出力ピンＲＣ２は、各々電池ジョインターＪ１の第６ピン２Ａ−４、第５ピン２Ａ−３、第４ピン２Ａ−２及び第３ピン２Ａ−１に接続され、主制御器Ｕ６のアナロググラウンドピンＶＳＳ及びグラウンドピンＧＮＤは、いずれも接地され、主制御器Ｕ６の第１未接続ピンＮＣ０及び第２未接続ピンＮＣ１は、いずれも未接続され、主制御器Ｕ６の電源ピンＶＤＤ及び第１３コンデンサーＣ１３の第１端は、いずれも電池ジョインターＪ１の第７ピン５Ａ−３及び第８ピン５Ａ−４に共通に接続され、主制御器Ｕ６の第４入力出力ピンＲＡ３及び第１１入力出力ピンＲＣ４は、電子機器における制御器３００とのデータ通信を行い、第３６抵抗器Ｒ３６は、主制御器Ｕ６の第４入力出力ピンＲＡ３と電源ピンＶＤＤとの間に接続され、主制御器Ｕ６の第６入力出力ピンＲＡ５及び第１２入力出力ピンＲＣ５は、各々アダプター１００における主制御モジュール１０７の第１通信ポート及び第２通信ポートに接続され、第３７抵抗器Ｒ３７の第１端及び第３８抵抗器Ｒ３８の第１端は、主制御器Ｕ６の第１０入力出力ポートＲＣ３に共通に接続され、第３７抵抗器Ｒ３７の第２端は、主制御器Ｕ６の電源ピンＶＤＤに接続され、第３８抵抗器Ｒ３８の第２端は、第３ＮＰＮ型トライオードＮ３のベース電極に接続され、主制御器Ｕ６の第５入力出力ポートＲＡ４は、第１４コンデンサーＣ１４の第１端に接続され、第１４コンデンサーＣ１４の第２端及び第１ショットキーダイオードＳＤ１の陰極は、第２ショットキーダイオードＳＤ２の陽極に共通に接続され、第３９抵抗器Ｒ３９の第１端及び第１５コンデンサーＣ１５の第１端は、第２ショットキーダイオードＳＤ２の陰極に共通に接続され、第３９抵抗器Ｒ３９の第２端、第４０抵抗器Ｒ４０の第１端及び第３ＮＰＮ型トライオードＮ３のコレクター電極は、いずれも第４ＮＭＯＳトランジスターＱ４のゲート電極及び第５ＮＭＯＳトランジスターＱ５のゲート電極に接続され、第４０抵抗器Ｒ４０の第２端及び第１５コンデンサーＣ１５の第２端は、共通に接地され、第４ＮＭＯＳトランジスターＱ４のソース電極は、第１ショットキーダイオードＳＤ１の陽極に接続され、且つ電池ジョインターＪ１の第７ピン５Ａ−３及び第８ピン５Ａ−４にも接続され、第４ＮＭＯＳトランジスターＱ４のドレイン電極は、第５ＮＭＯＳトランジスターＱ５のドレイン電極に接続され、第５ＮＭＯＳトランジスターＱ５のソース電極は、電子機器の通信インタフェース２０の電源線ＶＢＵＳに接続され、第３ＮＰＮ型トライオードＮ３のエミッタ電極は、第３ショットキーダイオードＳＤ３の陽極に接続され、第３ショットキーダイオードＳＤ３の陰極は、接地される。その中で、主制御器Ｕ６は、具体的には、モデルがＰＩＣ１２ＬＦ１５０１、ＰＩＣ１２Ｆ１５０１、ＰＩＣ１６ＬＦ１５０３、ＰＩＣ１６Ｆ１５０３、ＰＩＣ１６ＬＦ１５０７、ＰＩＣ１６Ｆ１５０７、ＰＩＣ１６ＬＦ１５０８、ＰＩＣ１６Ｆ１５０８、ＰＩＣ１６ＬＦ１５０９、或いはＰＩＣ１６Ｆ１５０９である単一チップマイコンであって可能である。
【００６３】
電池４００に対して急速充電を行う時、主制御器Ｕ６は、その第５入力出力ピンＲＡ４を介して、ハイレベルを出力し、第４ＮＭＯＳトランジスターＱ４及び第５ＮＭＯＳトランジスターＱ５の開通を駆動し、且つその第１０入力出力ピンＲＣ３を介して、ローレベルを出力することにより、第３ＮＰＮ型トライオードＮ３の遮断を制御する。電池４００自体は、既に電子機器の通信インタフェース２０を介して、電源アダプター１００から直流を取得したため、この時、第４ＮＭＯＳトランジスターＱ４及び第５ＮＭＯＳトランジスターＱ５を介して、直流を引き込むと、電池４００に対する充電電流を増大させる役割を果たすことができ、従って電池３００に対する急速充電を実現する。逆に、電池４００に対する通常の充電を行うべきである場合、或いは電源アダプター１００の出力に過電圧及び／又は過電流現象が存在するため、電子機器の通信インタフェース２０をオフするべきである場合、主制御器Ｕ６は、その第５入力出力ピンＲＡ４を介して、ローレベルを出力して第４ＮＭＯＳトランジスターＱ４及び第５ＮＭＯＳトランジスターＱ５の遮断を制御し、且つその第１０入力出力ピンＲＣ３を介して、ハイレベルを出力して第３ＮＰＮ型トライオードＮ３の開通を制御する。
【００６４】
また、主制御器Ｕ６は、その第４入力出力ピンＲＡ３及び第１１入力出力ピンＲＣ４を介して、電子機器とのデータ通信を行い、主制御器Ｕ６は、電池４００の電圧及び電量情報を電子機器の制御器３００に伝送することができ、且つ主制御器Ｕ６は、電池４００の電圧に基づいて、電池４００が急速充電のプロセスを完成したか否かを判断し、若し「はい」であれば、急速充電遮断指令をフィードバックして、電子機器に充電モードを急速充電モードから通常の充電モードに変換させることを告知する。電源アダプター１００が電池４００に対する充電を行う過程において、若し電源アダプター１００と電池４００との間の接続が突然遮断されると、主制御器Ｕ６は、電池ジョインターＪ１を介して、電池３００の電圧を検出し、且つ充電停止指令をフィードバックして制御器３００に電子機器の通信インタフェース２０をオフすることを告知することにより、電池４００に対する充電プロセスを停止する。また、若し電子機器が電池３００の温度を検出できると、電子機器における制御器３００は、温度が異常である時、主制御器Ｕ６に第４ＮＭＯＳトランジスターＱ４及び第５ＮＭＯＳトランジスターＱ５を遮断させることを告知することにより、電池３００に対する急速充電を停止する同時に、電子機器は、充電モードを急速充電モードから通常の充電モードに変換させる。
【００６５】
その他、電池４００に対する急速充電を行う時、若し電源アダプター１００の通信インタフェース１０の電源線ＶＢＵＳとアース線ＧＮＤが各々電子機器の通信インタフェース２０のアース線ＧＮＤと電源線ＶＢＵＳに接続される（即ち、電源アダプター１００の通信インタフェース１０の電源線ＶＢＵＳとアース線ＧＮＤは、各々充電制御モジュール２００のグラウンドと第５ＮＭＯＳトランジスターＱ５のソース電極に接続される）場合、この時，即ち電源アダプター１００の通信インタフェース１０と電子機器の通信インタフェース２０が逆接続され、充電制御モジュール２００におけるグラウンドは、直流に接続され、第５ＮＭＯＳトランジスターＱ５のソース電極は、グラウンドに接続されるようになる。部品破損を招く問題を避けるために、図６に示すように、充電制御モジュール２００は、第６ＮＭＯＳトランジスターＱ６と、第７ＮＭＯＳトランジスターＱ７と、第４１抵抗器Ｒ４１とを更に含むことができ、第６ＮＭＯＳトランジスターＱ６のソース電極は、第５ＮＭＯＳトランジスターＱ５のソース電極に接続され、第６ＮＭＯＳトランジスターＱ６のドレイン電極は、第７ＮＭＯＳトランジスターＱ７のドレイン電極に接続され、第７ＮＭＯＳトランジスターＱ７のソース電極は、第３ＮＰＮ型トライオードＮ３のコレクター電極に接続され、第６ＮＭＯＳトランジスターＱ６のゲート電極及び第７ＮＭＯＳトランジスターＱ７のゲート電極は、第４１抵抗器Ｒ４１の第１端に共通に接続され、第４１抵抗器Ｒ４１の第２端は、接地される。
【００６６】
上記の逆接続の問題が発生する場合、第４１抵抗器Ｒ４１の第２端は、グラウンドから直流をアクセスし、第６ＮＭＯＳトランジスターＱ６及び第７ＮＭＯＳトランジスターＱ７の遮断を駆動することにより、グラウンドから充電制御モジュール２００に入った直流が回路を形成できなくようにし、充電制御モジュール２００における部品を破損から保護する目的を達成する。
【００６７】
前記のように、本発明の実施例は、電源アダプター１００と充電制御モジュール２００とを含む電池充電装置を適用して、電子機器における電池４００に対する充電制御を行う。電池４００に対する通常の充電或いは急速充電を行う過程において、電源アダプター１００は、充電制御モジュール２００とのデータ通信を行い、電源アダプター１００がその通信インタフェース１０が出力した直流に過電圧及び／又は過電流が発生した判定する時、電源アダプター１００は、充電制御モジュール２００に電子機器における制御器３００を駆動すること告知して電子機器の通信インタフェース２０をオフさせ、且つ自ら直流電流の出力をオフする。充電制御モジュール２００が電源アダプター１００の出力電圧及び出力電流を受信して、過電圧及び／又は過電流が発生したと判定する時、充電制御モジュール２００は、電源アダプター１００に直流電流の出力をオフすることを告知し、且つ電子機器における制御器３００を駆動し、電子機器の通信インタフェース２０をオフすることにより、電源アダプター１００の通信インタフェース１０に過電圧及び／又は過電流出力が発生する時、電池４００に対する過電圧及び／又は過電流保護を実現する。
【００６８】
上記の内容は、ただ本発明の好ましい実施例であり、本発明を制限するものではない。本発明の原理及び主旨から逸脱しないで行われる補正、切り替え、及び改善などは、いずれも本発明の特許請求の範囲に組み込まれるべきである。
【図１】
2017506054.tif 000003
【図２】
2017506054.tif 000004
【図３】
2017506054.tif 000005
【図４】
2017506054.tif 000006
【図５】
2017506054.tif 000007
【図６】
2017506054.tif 000008
【手続補正書】
【提出日】平成28年7月28日(2016.7.28)
【手続補正１】
【補正対象書類名】明細書
【補正対象項目名】全文
【補正方法】変更
【補正の内容】
【発明の詳細な説明】
【技術分野】
【０００１】
本発明は、充電に関し、特に電池充電装置及び電池充電保護制御方法に関する。
【背景技術】
【０００２】
現在、多数の電子機器における電池は、電子機器の通信インタフェースを介して、外部の電源アダプターに接続されることにより、充電を実現しているが、電池充電過程において、充電時間を短縮させるために、従来の技術は、充電電流を増大させることにより、電池に対する急速充電を行う目的を達成することができる。但し、常規定電圧出力方式を適用しても、充電電流を増大させる方式を適用しても、電池に対する充電を行う際、若し充電過程において、電池に対する充電電圧、及び／又は充電電流が大きすぎである場合が発生すると、電池が過電圧及び／又は過電流充電のせいで破損されてしまうことがある。このため、従来の技術では、電子機器における電池に対する通常の充電或いは急速充電を行う時、電池に対する過電圧及び／又は過電流保護を実現できない。
【発明の概要】
【発明が解決しようとする課題】
【０００３】
本発明の目的は、電池充電装置を提供することであり、従来の技術が電子機器における電池に対する通常の充電或いは急速充電を行う時、電池に対する過電圧及び／又は過電流保護を実現できない問題を解決しようとする。
【課題を解決するための手段】
【０００４】
本発明は、下記の通りに実現される。電池充電装置であって、該電池充電装置は、電源アダプターと、充電制御回路とを含む。前記充電制御回路は、電子機器に内装され、且つ前記電子機器における制御器及び電池に接続され、前記電源アダプターは、その通信インタフェースを介して、前記電子機器の通信インタフェースに接続され、且つ前記電池は、前記電子機器の通信インタフェースを介して、前記電源アダプターから充電を取得し、前記充電制御回路は、前記電子機器の通信インタフェースを介して、前記電源アダプターとデータ通信を行う。
【０００５】
前記電池に対する通常の充電或いは急速充電を行う時、前記電源アダプターは、まずその出力電圧が電圧閾値より大きいか否か、及び出力電流が電流閾値より大きいか否かを判断し、若し前記出力電圧が電圧閾値より大きい、及び／又は前記出力電流が電流閾値より大きい場合、前記電源アダプターは、前記充電制御回路に第１充電遮断指令を送信し、且つ自ら直流電流の出力をオフし、前記充電制御回路は、前記第１充電遮断指令に基づいて、前記制御器を駆動し、前記電子機器の通信インタフェースをオフする。若し前記出力電圧が電圧閾値以下であり、且つ前記出力電流が電流閾値以下である場合、前記電源アダプターは、出力電圧情報及び出力電流情報を前記充電制御回路にフィードバックし、前記充電制御回路が前記出力電圧情報及び前記出力電流情報に基づいて、前記電源アダプターの出力電圧が電圧閾値より大きい、及び／又は前記電源アダプターの出力電流が電流閾値大きいと判定する時、前記充電制御回路は、前記電源アダプターに第２充電遮断指令をフィードバックし、且つ前記制御器を駆動し、前記電子機器の通信インタフェースをオフさせ、前記電源アダプターは、前記第２充電遮断指令に基づいて、直流電流の出力をオフする。前記充電制御回路が前記出力電圧情報及び前記出力電流情報に基づいて、前記電源アダプターの出力電圧が電圧閾値以下であり、且つ前記電源アダプターの出力電流が電流閾値以下であると判定した場合、前記電源アダプターは、続いてその出力電圧及び出力電流に対して判断を行う。
【０００６】
本発明のもう一つの目的は、上記の電池充電装置に基づいた電池充電保護制御方法を更に提供することであり、前記電池充電保護制御方法は、下記のように実行する。
【０００７】
電子機器における電池に対する通常の充電或いは急速充電を行う時、前記電源アダプターは、その出力電圧が電圧閾値より大きいか否かを判断し、且つその出力電流が電流閾値より大きいか否かを判断する。
【０００８】
前記出力電圧が電圧閾値より大きい、及び／又は前記出力電流が電流閾値より大きい場合、前記電源アダプターは、前記充電制御回路に第１充電遮断指令を送信し、且つ自ら直流電流の出力をオフする。
【０００９】
前記充電制御回路は、前記第１充電遮断指令に基づいて、前記電子機器における制御器を駆動し、前記電子機器の通信インタフェースをオフする。
【００１０】
前記出力電圧が電圧閾値以下であり、且つ前記出力電流が電流閾値以下である場合、前記電源アダプターは、出力電圧情報及び出力電流情報を前記充電制御回路にフィードバックする。
【００１１】
前記充電制御回路は、前記出力電圧情報及び前記出力電流情報に基づいて、前記電源アダプターの出力電圧が電圧閾値より大きいか否かを判断し、且つ前記電源アダプターの出力電流が電流閾値より大きいか否かを判断する。
【００１２】
前記電源アダプターの出力電圧が電圧閾値より大きい、及び／又は前記電源アダプターの出力電流が電流閾値より大きい場合、前記充電制御回路は、前記電源アダプターに第２充電遮断指令をフィードバックし、且つ前記制御器を駆動し、前記電子機器の通信インタフェースをオフする。
【００１３】
前記電源アダプターは、前記第２充電遮断指令に基づいて、直流電流の出力をオフする。
【００１４】
前記電源アダプターの出力電圧が電圧閾値以下であり、且つ前記電源アダプターの出力電流が電流閾値以下である場合、前記電源アダプターは、その出力電圧が電圧閾値より大きいか否かを判断し、且つその出力電流が電流閾値より大きいか否かを判断するのを継続する。
【図面の簡単な説明】
【００１５】
【図１】本発明の実施例が提供する電池充電装置のトポロジカル構成図である。
【図２】図１に示す電池充電装置に基づく電池充電保護制御方法を実現するフローチャートである。
【図３】図１に示す電池充電装置における電源アダプターの例示的な回路構成図である。
【図４】図３に示す電源アダプターの例示的な回路構成図である。
【図５】図１に示す電池充電装置における充電制御回路の例示的な回路構成図である。
【図６】図１に示す電池充電装置における充電制御回路のもう一つの例示的な回路構成図である。
【発明を実施するための形態】
【００１６】
本発明の目的、技術方案、及び利点をより明らかにするするために、以下、図面及び実施例を結合しながら、本発明を更に詳細に説明することにする。理解すべきことは、ここで説明される具体的な実施例は、本発明を解釈するだけのために用いられ、本発明を制限するものではない。
【００１７】
図１は、本発明の実施例が提供する電池充電装置のトポロジカル構造を示している。説明の便宜上、本発明の実施例に関連される部分だけを示すが、その詳細は、下記の通りである。
【００１８】
本発明の実施例が提供する電池充電装置は、電源アダプター１００と、充電制御回路２００とを含む。充電制御回路２００は、電子機器に内装され、且つ電子機器における制御器３００と、電池４００とに接続され、電源アダプター２００は、その通信インタフェース１０を介して、電子機器の通信インタフェース２０に接続され、且つ電池４００は、電子機器の通信インタフェース２０を介して、電源アダプターから充電を取得し、充電制御回路２００は、電子機器の通信インタフェース２０を介して、電源アダプター１００とデータ通信を行う。
【００１９】
電池４００に対する通常の充電或いは急速充電を行う時、電源アダプター１００は、まず、その出力電圧が電圧閾値より大きいか否か、及び出力電流が電流閾値より大きいか否かを判断し、若し電源アダプター１００の出力電圧が電圧閾値より大きい、及び／又は電源アダプター１００の出力電流が電流閾値より大きい場合、電源アダプター１００は、充電制御回路２００に第１充電遮断指令を送信し、且つ自ら直流電流の出力をオフし、充電制御回路２００は、第１充電遮断指令に基づいて、制御器３００を駆動し、電子機器の通信インタフェース２０をオフする。若し電源アダプター１００の出力電圧が電圧閾値以下であり、且つ電源アダプター１００の出力電流が電流閾値以下である場合、電源アダプター１００は、出力電圧情報及び出力電流情報を充電制御回路２００にフィードバックし、充電制御回路２００が上記の出力電圧情報及び出力電流情報に基づいて、電源アダプター１００の出力電圧が電圧閾値より大きい、及び／又は電源アダプター１００の出力電流が電流閾値大きいと判定する場合、充電制御回路２００は、電源アダプター１００に第２充電遮断指令をフィードバックし、且つ制御器３００を駆動し、電子機器の通信インタフェース２０をオフさせ、電源アダプター１００は、第２充電遮断指令に基づいて、直流電流の出力をオフする。充電制御回路２００が上記の出力電圧情報及び出力電流情報に基づいて、電源アダプター１００の出力電圧が電圧閾値以下であり、且つ電源アダプター１００の出力電流が電流閾値以下であると判定する場合、電源アダプター１００は、続いてその出力電圧及び出力電流に対する判断を行う。
【００２０】
図１に示す電池充電装置に基づいて、本発明の実施例は、電池充電保護制御方法を更に提供する。図２に示すように、該電池充電保護制御方法は、下記のステップＳ１〜Ｓ７を含む。
【００２１】
Ｓ１：電子機器における電池４００に対する通常の充電或いは急速充電を行う時、電源アダプター１００は、その出力電圧が電圧閾値より大きいかを判断し、且つその出力電流が電流閾値より大きいか否かを判断し、電源アダプター１００によって、出力電圧が電圧閾値より大きい、及び／又は出力電流が電流閾値より大きいことを決定する場合、ステップＳ２を実行し、電源アダプター１００によって、出力電圧が電圧閾値以下であり、且つ出力電流が電流閾値以下であることを決定する場合、ステップＳ４を実行する。
【００２２】
Ｓ２：電源アダプター１００は、充電制御回路２００に第１充電遮断指令を送信し、且つ自ら直流電流の出力をオフする。
【００２３】
Ｓ３：充電制御回路２００は、第１充電遮断指令に基づいて、制御器３００を駆動し、電子機器の通信インタフェース２０をオフする。
【００２４】
Ｓ４：電源アダプター１００は、出力電圧情報及び出力電流情報を充電制御回路２００にフィードバックする。
【００２５】
Ｓ５：充電制御回路２００は、出力電圧情報及び出力電流情報に基づいて、電源アダプター１００の出力電圧が電圧閾値より大きいか否かを判断し、且つ電源アダプター１００の出力電流が電流閾値より大きいか否かを判断し、充電制御回路２００によって、電源アダプター１００の出力電圧が電圧閾値より大きい、及び／又は電源アダプター１００の出力電流が電流閾値大きいことを決定する場合、ステップＳ６を実行し、充電制御回路２００によって、電源アダプター１００の出力電圧が電圧閾値以下であり、且つ電源アダプター１００の出力電流が電流閾値以下であることを決定する場合、戻ってステップＳ１を実行する。
【００２６】
Ｓ６：充電制御回路２００は、電源アダプター１００に第２充電遮断指令をフィードバックし、且つ制御器３００を駆動し、電子機器の通信インタフェース２０をオフする。
【００２７】
Ｓ７：電源アダプター１００は、第２充電遮断指令に基づいて、直流電流の出力をオフする。
【００２８】
その中で、電圧閾値及と電流閾値は、それぞれ予め設定した最大電圧値と最大電流値である。
【００２９】
尚、少なくとも一つの実施例において、ステップＳ４は、下記のように実行する。
【００３０】
充電制御回路２００は、電源アダプター１００に充電パラメータ取得請求を送信する。
【００３１】
電源アダプター１００は、充電パラメータ取得請求に基づいて、出力電圧情報及び出力電流情報を充電制御回路２００にフィードバックする。
【００３２】
電池４００に対する急速充電を行う時、充電制御回路２００は、電源アダプター１００から直流を引き込んで電池４００に対する充電を行い、電池に対する充電電流を増大させることにより、電池に対する急速充電を実現するため、電源アダプター１００の出力に過電圧及び／又は過電流現象が存在する場合、充電制御回路２００は、制御器３００を駆動し、電子機器の通信インタフェース２０をオフする同時に、更には、電源アダプター１００からの直流の引き込みを停止すべきである。このため、ステップＳ３は、具体的には、以下の通りである。
【００３３】
充電制御回路２００は、第１充電遮断指令に基づいて、電源アダプター１００から直流を引き込んで電池４００に対する充電を行うことをオフし、且つ制御器３００を駆動し、電子機器の通信インタフェース２０をオフする。
【００３４】
少なくとも一つの実施例において、ステップＳ４は、下記のように実行する。
【００３５】
充電制御回路２００は、電源アダプター１００に第２充電遮断指令をフィードバックする。
【００３６】
充電制御回路２００は、電源アダプター１００から直流を引き込んで電池４００に対する充電を行うことを停止し、且つ制御器３００を駆動し、電子機器の通信インタフェース２０をオフする。
【００３７】
上記の電池充電保護制御方法の実現において依存された電池充電装置に対して、その例示的な回路構成を図３に示す。説明の便宜上、本発明の実施例に関連される部分だけを示すが、その詳細は、下記の通りである。
【００３８】
電源アダプター１００は、ＥＭＩフィルター回路１０１と、高電圧整流フィルター回路１０２と、隔離変圧器１０３と、出力フィルター回路１０４と、電圧トラッキングと制御回路１０５とを含む。商用電源がＥＭＩフィルター回路１０１を経て電磁波ノイズフィルタリングを行った後、高電圧整流フィルター回路１０２により整流フィルター処理され、高電圧直流電流を出力し、該高電圧直流電流は、隔離変圧器１０３を介して電気隔離されて後、出力フィルター回路１０４に出力されることにより、フィルター処理を行った後、電池４００に対する充電を行い、電圧トラッキングと制御回路１０５は、出力フィルター回路１０４の出力電圧に基づいて、隔離変圧器１０３の出力電圧に対する調整を行う。
【００３９】
電源アダプター１００は、電源回路１０６と、主制御回路１０７と、電位調整回路１０８と、電流検出回路１０９と、電圧検出回路１１０と、出力スイッチ回路１１１とを更に含む。
【００４０】
電源回路１０６の入力ポートは、隔離変圧器１０３の二次ポートに接続され、主制御回路１０７の電源ポート、電位調整回路１０８の電源ポート、及び電流検出回路１０９の電源ポートは、電源回路１０８の出力ポートに共通に接続され、主制御回路１０７の高電位ポート及び電位調整回路１０８の高電位ポートは、いずれも出力フィルター回路１０４の正出力ポートに接続され、電位調整回路１０８の電位調節ポートは、電圧トラッキングと制御回路１０５に接続され、電流検出回路１０９の直流入力ポートは、出力フィルター回路１０４の正出力ポートに接続され、電流検出回路１０９の電流検出フィードバックポートは、主制御回路１０７の電流検出ポートに接続され、主制御回路１０７のクロック出力ポートとデータ出力ポートは、電位調整回路１０８のクロック入力ポートとデータ入力ポートに接続され、電圧検出回路１１０の第１検出ポートと第２検出ポートは、各々電流検出回路１０９の直流電流の出力ポートと出力フィルター回路１０４の負出力ポートに接続され、電圧検出回路１１０の第１出力ポートと第２出力ポートは、各々主制御回路１０７の第１電圧検出ポートと第２電圧検出ポートに接続され、出力スイッチ回路１１１の入力ポートは、電流検出回路１０９の直流電流の出力ポートに接続され、出力スイッチ回路１１１の出力ポートは、電圧検出回路１１０の第３検出ポートに接続され、出力スイッチ回路１１１の接地ポートは、出力フィルター回路１０４の負出力ポートに接続され、出力スイッチ回路１１１の被制御ポートと電源ポートは、各々主制御回路１０７のスイッチ制御ポートと隔離変圧器１０３の二次ポートに接続され、出力フィルター回路１０４の出力負極端、出力スイッチ回路１１１の出力ポート、主制御回路１０７の第１通信ポート、及び第２通信ポートは、いずれも電源アダプター１００の通信インタフェース１０に接続される。
【００４１】
電源回路１０６は、隔離変圧器１０３から電源を取得し、且つ主制御回路１０７、電位調整回路１０８及び電流検出回路１０９に給電する。電子機器における電池４００に対する急速充電を行う時、電位調整回路１０８は、主制御回路１０７が送信した制御信号に基づいて、電圧トラッキングと制御回路１０５を駆動し、隔離変圧器１０３の出力電圧に対する調整を行わせる。電流検出回路１０９と電圧検出回路１１０は、各々電源アダプター１００の出力電流と出力電圧に対する検出を行い、且つそれに応じて電流検出信号と電圧検出信号を主制御回路１０７にフィードバックする。出力スイッチ回路１１１は、主制御回路１０７が送信したスイッチ制御信号に基づいて、電源アダプター１００の直流電流の出力をオンオフする。
【００４２】
電子機器における電池４００に対する通常の充電或いは急速充電を行う時、主制御回路１０７は、上記の電流検出信号に基づいて、電源アダプター１００の出力電流が電流閾値より大きいか否かを判断し、且つ上記の電圧検出信号に基づいて、電源アダプター１００の出力電圧が電圧閾値より大きいか否かを判断し、電源アダプター１００の出力電圧が電圧閾値より大きい、及び／又は電源アダプター１００の出力電流が電流閾値大きい場合、主制御回路１０７は、充電制御回路２００に第１充電遮断指令を送信し、且つ出力スイッチ回路１１１を制御し、電源アダプター１００の直流電流の出力をオフし、充電制御回路２００は、上記の第１充電遮断指令に基づいて、制御器３００を駆動し、電子機器の通信インタフェース２０をオフする。電源アダプター１００の出力電圧が電圧閾値以下であり、且つ電源アダプター１００の出力電流が電流閾値以下である場合、主制御回路１０７は、上記の電圧検出信号及び電流検出信号に基づいて、充電制御回路２００に出力電圧情報及び出力電流情報をフィードバックし、充電制御回路１００は、出力電圧情報及び出力電流情報に基づいて、電源アダプター１００の出力電圧が電圧閾値より大きいかを判断し、且つ電源アダプター１００の出力電流が電流閾値より大きいか否かを判断し、若し電源アダプター１００の出力電圧が電圧閾値より大きい、及び／又は電源アダプター１００の出力電流が電流閾値より大きい場合、充電制御回路２００は、主制御回路１０７に第２充電遮断指令をフィードバックし、且つ制御器３００を駆動し、電子機器の通信インタフェース２０をオフさせ、主制御回路１０７は、上記の第２充電遮断指令に基づいて、出力スイッチ回路１１１を制御し、電源アダプター１００の直流電流の出力をオフする。
【００４３】
少なくとも一つの実施例において、上記の主制御回路１０７は、電圧検出信号及び電流検出信号に基づいて、充電制御回路２００に出力電圧情報及び出力電流情報をフィードバックすることは、具体的には、
充電制御回路２００は、主制御回路１０７に充電パラメータ取得請求を送信し、主制御回路１０７は、該充電パラメータ取得請求に基づいて、出力電圧情報及び出力電流情報を充電制御回路２００にフィードバックする。
【００４４】
電池４００に対する急速充電を行う時、充電制御回路２００は、電源アダプター１００から直流を引き込んで電池４００に対する充電を行い、電池に対する充電電流を増大させることにより、電池に対する急速充電を実現するため、電源アダプター１００の出力に過電圧及び／又は過電流現象が存在する場合、充電制御回路２００は、制御器３００を駆動し、電子機器の通信インタフェース２０をオフすると同時に、更には、電源アダプター１００からの直流の引き込みを停止すべきである。このため、上記の充電制御回路２００は、上記の第１充電遮断指令に基づいて、制御器３００を駆動し、電子機器の通信インタフェース２０をオフする内容は、具体的には、
充電制御回路２００は、第１充電遮断指令に基づいて、電源アダプター１００から直流を引き込んで電池４００に対する充電を行うことを停止し、且つ制御器３００を駆動し、電子機器の通信インタフェース２０をオフする。
【００４５】
少なくとも一つの実施例において、上記の充電制御回路２００は、主制御回路１０７に第２充電遮断指令をフィードバックする内容は、具体的には、以下の通りである。
【００４６】
充電制御回路２００は、主制御回路１０７に第２充電遮断指令をフィードバックし、且つ充電制御回路２００は、電源アダプター１００から直流を引き込んで電池４００に対する充電を行うことをオフし、且つ制御器３００を駆動し、電子機器の通信インタフェース２０をオフする。
【００４７】
図４は、上記の電源アダプター１００の例示的な回路構成を示している。説明の便宜上、本発明の実施例に関連される部分だけを示すが、その詳細は、下記の通りである。
【００４８】
電源回路１０６は、
第１コンデンサーＣ１と、レギュレーターチップＵ１と、第２コンデンサーＣ２と、第１インダクターＬ１と、第２インダクターＬ２と、第１ダイオードＤ１と、第２ダイオードＤ２と、第３コンデンサーＣ３と、第１抵抗器Ｒ１と、第２抵抗器Ｒ２とを含む。
【００４９】
第１コンデンサーＣ１の第１端とレギュレーターチップＵ１の入力電源ピンＶＩＮ及びイネーブルピンＥＮの共通接続点は、電源回路１０６の入力ポートであり、第１コンデンサーＣ１の第２端とレギュレーターチップＵ１のグラウンドピンＧＮＤは、共通に接地され、レギュレーターチップＵ１のスイッチピンＳＷと第２コンデンサーＣ２の第１端は、第１インダクターＬ１の第１端に共通に接続され、レギュレーターチップＵ１の内部スイッチピンＢＯＯＳＴと第２コンデンサーＣ２の第２端は、第１ダイオードＤ１の陰極に共通に接続され、レギュレーターチップＵ１のフィードバック電圧ピンＦＢは、第１抵抗器Ｒ１の第１端及び第２抵抗器Ｒ２の第１端に接続され、第１インダクターＬ１の第２端と第２ダイオードＤ２の陰極は、第２インダクターＬ２の第１端に共通に接続され、第２インダクターＬ２の第２端が第１ダイオードＤ１の陽極、第１抵抗器Ｒ１の第２端及び第３コンデンサーＣ３の第１端とで共通に接続されて形成される共通接続点は、電源回路１０６の出力ポートであり、第２ダイオードＤ２の陽極と、第２抵抗器Ｒ２の第２端と、第３コンデンサーＣ３の第２端は、共通に接地される。少なくとも一つの実施例において、電源回路１０６は、レギュレーターチップＵ１を核心として、隔離変圧器１０３の二次ポート電圧に対する電圧変換処理を行った後、+３.３Ｖの電圧を出力し、主制御回路１０７、電位調整回路１０８及び電流検出回路１０９に給電する。少なくとも一つの実施例において、レギュレーターチップＵ１は、モデルがＭＣＰ１６３０１である減電圧タイプの直流／直流変換器であって可能である。
【００５０】
主制御回路１０７は、
主制御チップＵ２と、第３抵抗器Ｒ３と、基準電圧チップＵ３と、第４抵抗器Ｒ４と、第５抵抗器Ｒ５と、第４コンデンサーＣ４と、第６抵抗器Ｒ６と、第７抵抗器Ｒ７と、第１ＮＭＯＳトランジスターＱ１と、第８抵抗器Ｒ８と、第９抵抗器Ｒ９と、第１０抵抗器Ｒ１０と、第１１抵抗器Ｒ１１と、第１２抵抗器Ｒ１２と、第１３抵抗器Ｒ１３と、第１４抵抗器Ｒ１４とを含む。
【００５１】
主制御チップＵ３の電源ピンＶＤＤは、主制御回路１０７の電源ポートであり、主制御チップＵ３のグラウンドピンＶＳＳは接地され、主制御チップＵ３の第１入力出力ピンＲＡ０は未接続され、第３抵抗器Ｒ３の第１端は、主制御チップＵ３の電源ピンＶＤＤに接続され、第３抵抗器Ｒ３の第２端と第４抵抗器Ｒ４の第１端は、基準電圧チップＵ３の正極ＣＡＴＨＯＤＥに共通に接続され、基準電圧チップＵ３の負極ＡＮＯＤＥは接地され、基準電圧チップＵ３の未接続ピンＮＣは、未接続され、第４抵抗器Ｒ４の第２端は、主制御チップＵ２の第２入力出力ピンＲＡ１に接続され、主制御チップＵ２の第３入力出力ピンＲＡ２は、主制御回路１０７の電流検出ポートであり、主制御チップＵ２の第４入力出力ピンＲＡ３は、第５抵抗器Ｒ５の第１端に接続され、第５抵抗器Ｒ５の第２端と第４コンデンサーＣ４の第１端は、主制御チップＵ２の電源ピンＶＤＤに共通に接続され、第４コンデンサーＣ４の第２端は、接地され、主制御チップＵ２の第５入力出力ピンＲＡ４は、主制御回路１０７のスイッチ制御ポートであり、主制御チップＵ２の第６入力出力ピンＲＡ５は、第６抵抗器Ｒ６の第１端に接続され、第６抵抗器Ｒ６の第２端と第１ＮＭＯＳトランジスターＱ１のゲート電極は、第７抵抗器Ｒ７の第１端に共通に接続され、第７抵抗器Ｒ７の第２端と第１ＮＭＯＳトランジスターＱ１のソース電極は、共通に接地され、第１ＮＭＯＳトランジスターＱ１のドレイン電極は、第８抵抗器Ｒ８の第１端に接続され、第８抵抗器Ｒ８の第２端は、主制御回路１０７の高電位ポートであり、主制御チップＵ２の第７入力出力ピンＲＣ０と第８入力出力ピンＲＣ１は、それぞれ主制御回路１０７のクロック出力ポートとデータ出力ポートであり、主制御チップＵ２の第１０入力出力ピンＲＣ３と第９入力出力ピンＲＣ２は、それぞれ主制御回路１０７の第１電圧検出ポートと第２電圧検出ポートであり、主制御チップＵ２の第１１入力出力ピンＲＣ４と第１２入力出力ピンＲＣ５は、各々第９抵抗器Ｒ９の第１端と第１０抵抗器Ｒ１０の第１端に接続され、第１１抵抗器Ｒ１１の第１端と第１２抵抗器Ｒ１２の第１端は、各々第９抵抗器Ｒ９の第２端と第１０抵抗器Ｒ１０の第２端に接続され、第１１抵抗器Ｒ１１の第２端と第１２抵抗器Ｒ１２の第２端は、共通に接地され、第１３抵抗器Ｒ１３の第１端と１４抵抗器Ｒ１４の第１端は、各々第９抵抗器Ｒ９の第２端と第１０抵抗器Ｒ１０の第２端に接続され、第１３抵抗器Ｒ１３の第２端と１４抵抗器Ｒ１４の第２端は、主制御チップＵ２の電源ピンＶＤＤに共通に接続され、第９抵抗器Ｒ９の第２端と第１０抵抗器Ｒ１０の第２端は、それぞれ主制御回路１０７の第１通信ポートと第２通信ポートである。その中で、主制御チップＵ２は、具体的には、モデルがＰＩＣ１２ＬＦ１８２２、ＰＩＣ１２Ｆ１８２２、ＰＩＣ１６ＬＦ１８２３或いはＰＩＣ１６Ｆ１８２３である単一チップマイコンであってもよく、基準電圧チップＵ３は、モデルがＬＭ４０４０である電圧基準器であってもよい。
【００５２】
電位調整回路１０８は、
第１５抵抗器Ｒ１５と、第１６抵抗器Ｒ１６と、ディジタルポテンショメータＵ４と、第１７抵抗器Ｒ１７と、第１８抵抗器Ｒ１８と、第５コンデンサーＣ５と、第６コンデンサーＣ６と、第１９抵抗器Ｒ１９とを含む。
【００５３】
第１５抵抗器Ｒ１５の第１端と第１６抵抗器Ｒ１６の第１端、ディジタルポテンショメータＵ４の電源ピンＶＤＤと第５コンデンサーＣ５の第１端との共通接続点は、電位調整回路１０８の電源ポートであり、第５コンデンサーＣ５の第２端は、第６コンデンサーＣ６の第１端、ディジタルポテンショメータＵ４のグラウンドピンＶＳＳ及び第１７抵抗器Ｒ１７の第１端と共通に接地され、第６コンデンサーＣ６の第２端は、ディジタルポテンショメータＵ４の電源ピンＶＤＤに接続され、第１５抵抗器Ｒ１５の第２端とディジタルポテンショメータＵ４の直列データピンＳＤＡとの共通接続点は、電位調整回路１０８のデータ入力ポートであり、第１６抵抗器Ｒ１６の第２端とディジタルポテンショメータＵ４のクロック入力ピンＳＣＬとの共通接続点は、電位調整回路１０８のクロック入力ポートであり、ディジタルポテンショメータＵ４のゼロアドレスピンＡ０は接地され、ディジタルポテンショメータＵ４の第１電位配線ピンＰ０Ａと第１８抵抗器Ｒ１８の第１端は、第１７抵抗器Ｒ１７の第２端に共通に接続され、第１８抵抗器Ｒ１８の第２端とディジタルポテンショメータＵ４の第２電位配線ピンＰ０Ｂは、第１９抵抗器Ｒ１９の第１端に共通に接続され、第１９抵抗器Ｒ１９の第２端は、電位調整回路１０８の高電位ポートであり、ディジタルポテンショメータＵ４の電位タップポートピンＰ０Ｗは、電位調整回路１０８の電位調節ポートである。その中で、ディジタルポテンショメータＵ４は、主制御チップＵ２が出力したクロック信号及びデータ信号に基づいて、内部の滑り抵抗器を調整することにより、内部滑り抵抗器のタップポート端（即ち、ディジタルポテンショメータＵ４の電位タップポートピンＰ０Ｗ）の電位に変化が発生し、更には、電圧トラッキングと制御回路１０５が該電位■化に沿って、隔離変圧器１０３の出力電圧に対する調整を行わせる。少なくとも一つの実施例において、ディジタルポテンショメータＵ４は、ＭＣＰ４５Ｘ１のディジタルポテンショメータであって可能である。
【００５４】
電流検出回路１０９は、
第２０抵抗器Ｒ２０と、第２１抵抗器Ｒ２１と、第２２抵抗器Ｒ２２と、第７コンデンサーＣ７と、第８コンデンサーＣ８と、電流検出チップＵ５と、第２３抵抗器Ｒ２３と、第１０コンデンサーＣ９と、第１０コンデンサーＣ１０と、第２４抵抗器Ｒ２４とを含む。
【００５５】
第２０抵抗器Ｒ２０の第１端と第２端は、それぞれ電流検出回路１０９の直流入力ポートと直流電流の出力ポートであり、第２１抵抗器Ｒ２１の第１端と第２２抵抗器Ｒ２２の第１端は、各々第２０抵抗器Ｒ２０の第１端と第２端に接続され、第２１抵抗器Ｒ２１の第２端と第７コンデンサーＣ７の第１端は、電流検出チップＵ５の入力正ピンＩＮ+に共通に接続され、第２２抵抗器Ｒ２２の第２端と第８コンデンサーＣ８の第１端は、電流検出チップＵ５の入力負ピンＩＮ-に共通に接続され、電流検出チップＵ５の電源ピンＶ+と第９コンデンサーＣ９の第１端との共通接続点は、電流検出回路１０９の電源ポートであり、電流検出チップＵ５の未接続ピンＮＣは、未接続され、電流検出チップＵ５の出力ピンＯＵＴは、第２３抵抗器Ｒ２３の第１端に接続され、第２３抵抗器Ｒ２３の第２端は、電流検出回路１０９の電流検出フィードバックポートであり、第１０コンデンサーＣ１０の第１端及び第２４抵抗器Ｒ２４の第１端は、第２３抵抗器Ｒ２３の第２端に共通に接続され、第７コンデンサーＣ７の第２端は、第８コンデンサーＣ８の第２端、第９コンデンサーＣ９の第２端、第１０コンデンサーＣ１０の第２端、第２４抵抗器Ｒ２４の第２端、電流検出チップＵ５のグラウンドピンＧＮＤ、第１基準電圧ピンＲＥＦ１及び第２基準電圧ピンＲＥＦ２と共通に接地される。その中で、第２０抵抗器Ｒ２０は、電流検出抵抗器として出力フィルター回路１０４の出力電流（即ち、電源アダプター１００の出力電流）に対するサンプリングを行ってから、電流検出チップＵ５を介して、第２０抵抗器Ｒ２０両ポートの電圧に基づいて、電流検出信号を主制御チップＵ２に出力する。電流検出チップＵ５は、具体的には、モデルがＩＮＡ２８６である電流分流モニターであって可能である。
【００５６】
電圧検出回路１１０は、
第２５抵抗器Ｒ２５と、第２６抵抗器Ｒ２６と、第１１コンデンサーＣ１１と、第１２コンデンサーＣ１２と、第２７抵抗器Ｒ２７と、第２８抵抗器Ｒ２８とを含む。
【００５７】
第２５抵抗器Ｒ２５の第１端は、電圧検出回路１１０の第１検出ポートであり、第２５抵抗器Ｒ２５の第２端と第２６抵抗器Ｒ２６の第１端及び第１１コンデンサーＣ１１の第１端との共通接続点は、電圧検出回路１１０の第２出力ポートであり、第２６抵抗器Ｒ２６の第２端は、電圧検出回路１１０の第２検出ポートであり、第１１コンデンサーＣ１１の第２端は、第１２コンデンサーＣ１２の第１端及び第２７抵抗器Ｒ２７の第１端と第２６抵抗器Ｒ２６の第２端に共通に接続され、第１２コンデンサーＣ１２の第２端と第２７抵抗器Ｒ２７の第２端及び第２８抵抗器Ｒ２８の第１端との共通接続点は、電圧検出回路１１０の第１出力ポートであり、第２８抵抗器Ｒ２８の第２端は、電圧検出回路１１０の第３検出ポートである。
【００５８】
出力スイッチ回路１１１は、
第２９抵抗器Ｒ２９と、第３０抵抗器Ｒ３０と、第１３コンデンサーＣ１３と、第３１抵抗器Ｒ３１と、第１ＮＰＮ型トライオードＮ１と、第３２抵抗器Ｒ３２と、第２ＮＰＮ型トライオードＮ２と、第３ダイオードＤ３と、定電圧ダイオードＺＤと、第３３抵抗器Ｒ３３と、第３４抵抗器Ｒ３４と、第３５抵抗器Ｒ３５と、第２ＮＭＯＳトランジスターＱ２と、第３ＮＭＯＳトランジスターＱ３とを含む。
【００５９】
第２９抵抗器Ｒ２９の第１端は、出力スイッチ回路１１１の被制御ポートであり、第２９抵抗器Ｒ２９の第２端と第３０抵抗器Ｒ３０の第１端は、第１ＮＰＮ型トライオードＮ１のベース電極に共通に接続され、第１３コンデンサーＣ１３の第１端は、第３１抵抗器Ｒ３１の第１端及び第３２抵抗器Ｒ３２の第１端と第３ダイオードＤ３の陰極に共通に接続され、第３ダイオードＤ３の陽極は、出力スイッチ回路１１１の電源ポートであり、第３１抵抗器Ｒ３１の第２端と第２ＮＰＮ型トライオードＮ２のベース電極は、第１ＮＰＮ型トライオードＮ１のコレクター電極に共通に接続され、第３２抵抗器Ｒ３２の第２端は、定電圧ダイオードＺＤの陰極及び第３３抵抗器Ｒ３３の第１端と第２ＮＰＮ型トライオードＮ２のコレクター電極に共通に接続され、第３０抵抗器Ｒ３０の第２端は、第１３コンデンサーＣ１３の第２端、第１ＮＰＮ型トライオードＮ１のエミッタ電極、第２ＮＰＮ型トライオードＮ２のエミッタ電極及び定電圧ダイオードＺＤの陽極と共通に接地され、第３３抵抗器Ｒ３３の第２端は、第３４抵抗器Ｒ３４の第１端、第３５抵抗器Ｒ３５の第１端、第２ＮＭＯＳトランジスターＱ２のゲート電極及び第３ＮＭＯＳトランジスターＱ３のゲート電極と共通に接続され、第３４抵抗器Ｒ３４の第２端は、出力スイッチ回路１１１の接地ポートであり、第２ＮＭＯＳトランジスターＱ２のドレイン電極は、出力スイッチ回路１１１の入力ポートであり、第２ＮＭＯＳトランジスターＱ２のソース電極と第３５抵抗器Ｒ３５の第２端は、第３ＮＭＯＳトランジスターＱ３のソース電極に共通に接続され、第３ＮＭＯＳトランジスターＱ３のドレイン電極は、出力スイッチ回路１１１の出力ポートである。その中で、第２ＮＭＯＳトランジスターＱ２と第３ＮＭＯＳトランジスターＱ３は、同時に開通或いは遮断されることにより、電源アダプター１００の直流電流の出力をオンオフする。
【００６０】
図５は、上記の充電制御回路２００の例示的な回路構成を示している。説明の便宜上、本発明の実施例に関連される部分だけを示すが、その詳細は、下記の通りである。
【００６１】
充電制御回路２００は、
電池ジョインターＪ１と、主制御器Ｕ６と、第１６コンデンサーＣ１６と、第３６抵抗器Ｒ３６と、第３７抵抗器Ｒ３７と、第１４コンデンサーＣ１４と、第１ショットキーダイオードＳＤ１と、第２ショットキーダイオードＳＤ２と、第１５コンデンサーＣ１５と、第３８抵抗器Ｒ３８と、第３９抵抗器Ｒ３９と、第４０抵抗器Ｒ４０と、第３ＮＰＮ型トライオードＮ３と、第４ＮＭＯＳトランジスターＱ４と、第５ＮＭＯＳトランジスターＱ５とを含む。
【００６２】
電池ジョインターＪ１は、電池３００の複数の電極に接続され、電池ジョインターＪ１の第１ピン５Ａ−１と第２ピン５Ａ−２は、共通に接地され、電池ジョインターＪ１の第１接地ピンＧＮＤ１と第２接地ピンＧＮＤ２は、共通に接地され、主制御器Ｕ６の第１入力出力ピンＲＡ０は、電池ジョインターＪ１の第７ピン５Ａ−３及び第８ピン５Ａ−４に接続され、主制御器Ｕ６の第２入力出力ピンＲＡ１、第７入力出力ピンＲＣ０、第８入力出力ピンＲＣ１及び第９入力出力ピンＲＣ２は、各々電池ジョインターＪ１の第６ピン２Ａ−４、第５ピン２Ａ−３、第４ピン２Ａ−２及び第３ピン２Ａ−１に接続され、主制御器Ｕ６のアナロググラウンドピンＶＳＳ及びグラウンドピンＧＮＤは、いずれも接地され、主制御器Ｕ６の第１未接続ピンＮＣ０及び第２未接続ピンＮＣ１は、いずれも未接続され、主制御器Ｕ６の電源ピンＶＤＤ及び第１６コンデンサーＣ１６の第１端は、いずれも電池ジョインターＪ１の第７ピン５Ａ−３及び第８ピン５Ａ−４に共通に接続され、主制御器Ｕ６の第４入力出力ピンＲＡ３及び第１１入力出力ピンＲＣ４は、電子機器における制御器３００とのデータ通信を行い、第３６抵抗器Ｒ３６は、主制御器Ｕ６の第４入力出力ピンＲＡ３と電源ピンＶＤＤとの間に接続され、主制御器Ｕ６の第６入力出力ピンＲＡ５及び第１２入力出力ピンＲＣ５は、各々アダプター１００における主制御回路１０７の第１通信ポート及び第２通信ポートに接続され、第３７抵抗器Ｒ３７の第１端及び第３８抵抗器Ｒ３８の第１端は、主制御器Ｕ６の第１０入力出力ポートＲＣ３に共通に接続され、第３７抵抗器Ｒ３７の第２端は、主制御器Ｕ６の電源ピンＶＤＤに接続され、第３８抵抗器Ｒ３８の第２端は、第３ＮＰＮ型トライオードＮ３のベース電極に接続され、主制御器Ｕ６の第５入力出力ポートＲＡ４は、第１４コンデンサーＣ１４の第１端に接続され、第１４コンデンサーＣ１４の第２端及び第１ショットキーダイオードＳＤ１の陰極は、第２ショットキーダイオードＳＤ２の陽極に共通に接続され、第３９抵抗器Ｒ３９の第１端及び第１５コンデンサーＣ１５の第１端は、第２ショットキーダイオードＳＤ２の陰極に共通に接続され、第３９抵抗器Ｒ３９の第２端、第４０抵抗器Ｒ４０の第１端及び第３ＮＰＮ型トライオードＮ３のコレクター電極は、いずれも第４ＮＭＯＳトランジスターＱ４のゲート電極及び第５ＮＭＯＳトランジスターＱ５のゲート電極に接続され、第４０抵抗器Ｒ４０の第２端及び第１５コンデンサーＣ１５の第２端は、共通に接地され、第４ＮＭＯＳトランジスターＱ４のソース電極は、第１ショットキーダイオードＳＤ１の陽極に接続され、且つ電池ジョインターＪ１の第７ピン５Ａ−３及び第８ピン５Ａ−４にも接続され、第４ＮＭＯＳトランジスターＱ４のドレイン電極は、第５ＮＭＯＳトランジスターＱ５のドレイン電極に接続され、第５ＮＭＯＳトランジスターＱ５のソース電極は、電子機器の通信インタフェース２０の電源線ＶＢＵＳに接続され、第３ＮＰＮ型トライオードＮ３のエミッタ電極は、第３ショットキーダイオードＳＤ３の陽極に接続され、第３ショットキーダイオードＳＤ３の陰極は、接地される。その中で、主制御器Ｕ６は、具体的には、モデルがＰＩＣ１２ＬＦ１５０１、ＰＩＣ１２Ｆ１５０１、ＰＩＣ１６ＬＦ１５０３、ＰＩＣ１６Ｆ１５０３、ＰＩＣ１６ＬＦ１５０７、ＰＩＣ１６Ｆ１５０７、ＰＩＣ１６ＬＦ１５０８、ＰＩＣ１６Ｆ１５０８、ＰＩＣ１６ＬＦ１５０９、或いはＰＩＣ１６Ｆ１５０９である単一チップマイコンであって可能である。
【００６３】
電池４００に対して急速充電を行う時、主制御器Ｕ６は、その第５入力出力ピンＲＡ４を介して、ハイレベルを出力し、第４ＮＭＯＳトランジスターＱ４及び第５ＮＭＯＳトランジスターＱ５の開通を駆動し、且つその第１０入力出力ピンＲＣ３を介して、ローレベルを出力することにより、第３ＮＰＮ型トライオードＮ３の遮断を制御する。電池４００自体は、既に電子機器の通信インタフェース２０を介して、電源アダプター１００から直流を取得したため、この時、第４ＮＭＯＳトランジスターＱ４及び第５ＮＭＯＳトランジスターＱ５を介して、直流を引き込むと、電池４００に対する充電電流を増大させる役割を果たすことができ、従って電池３００に対する急速充電を実現する。逆に、電池４００に対する通常の充電を行うべきである場合、或いは電源アダプター１００の出力に過電圧及び／又は過電流現象が存在するため、電子機器の通信インタフェース２０をオフするべきである場合、主制御器Ｕ６は、その第５入力出力ピンＲＡ４を介して、ローレベルを出力して第４ＮＭＯＳトランジスターＱ４及び第５ＮＭＯＳトランジスターＱ５の遮断を制御し、且つその第１０入力出力ピンＲＣ３を介して、ハイレベルを出力して第３ＮＰＮ型トライオードＮ３の開通を制御する。
【００６４】
また、主制御器Ｕ６は、その第４入力出力ピンＲＡ３及び第１１入力出力ピンＲＣ４を介して、電子機器とのデータ通信を行い、主制御器Ｕ６は、電池４００の電圧及び電量情報を電子機器の制御器３００に伝送することができ、且つ主制御器Ｕ６は、電池４００の電圧に基づいて、電池４００が急速充電のプロセスを完成したか否かを判断し、若し「はい」であれば、急速充電遮断指令をフィードバックして、電子機器に充電モードを急速充電モードから通常の充電モードに変換させることを告知する。電源アダプター１００が電池４００に対する充電を行う過程において、若し電源アダプター１００と電池４００との間の接続が突然遮断されると、主制御器Ｕ６は、電池ジョインターＪ１を介して、電池３００の電圧を検出し、且つ充電停止指令をフィードバックして制御器３００に電子機器の通信インタフェース２０をオフすることを告知することにより、電池４００に対する充電プロセスを停止する。また、若し電子機器が電池３００の温度を検出できると、電子機器における制御器３００は、温度が異常である時、主制御器Ｕ６に第４ＮＭＯＳトランジスターＱ４及び第５ＮＭＯＳトランジスターＱ５を遮断させることを告知することにより、電池３００に対する急速充電を停止する同時に、電子機器は、充電モードを急速充電モードから通常の充電モードに変換させる。
【００６５】
その他、電池４００に対する急速充電を行う時、若し電源アダプター１００の通信インタフェース１０の電源線ＶＢＵＳとアース線ＧＮＤが各々電子機器の通信インタフェース２０のアース線ＧＮＤと電源線ＶＢＵＳに接続される（即ち、電源アダプター１００の通信インタフェース１０の電源線ＶＢＵＳとアース線ＧＮＤは、各々充電制御回路２００のグラウンドと第５ＮＭＯＳトランジスターＱ５のソース電極に接続される）場合、この時，即ち電源アダプター１００の通信インタフェース１０と電子機器の通信インタフェース２０が逆接続され、充電制御回路２００におけるグラウンドは、直流に接続され、第５ＮＭＯＳトランジスターＱ５のソース電極は、グラウンドに接続されるようになる。部品破損を招く問題を避けるために、図６に示すように、充電制御回路２００は、第６ＮＭＯＳトランジスターＱ６と、第７ＮＭＯＳトランジスターＱ７と、第４１抵抗器Ｒ４１とを更に含むことができ、第６ＮＭＯＳトランジスターＱ６のソース電極は、第５ＮＭＯＳトランジスターＱ５のソース電極に接続され、第６ＮＭＯＳトランジスターＱ６のドレイン電極は、第７ＮＭＯＳトランジスターＱ７のドレイン電極に接続され、第７ＮＭＯＳトランジスターＱ７のソース電極は、第３ＮＰＮ型トライオードＮ３のコレクター電極に接続され、第６ＮＭＯＳトランジスターＱ６のゲート電極及び第７ＮＭＯＳトランジスターＱ７のゲート電極は、第４１抵抗器Ｒ４１の第１端に共通に接続され、第４１抵抗器Ｒ４１の第２端は、接地される。
【００６６】
上記の逆接続の問題が発生する場合、第４１抵抗器Ｒ４１の第２端は、グラウンドから直流をアクセスし、第６ＮＭＯＳトランジスターＱ６及び第７ＮＭＯＳトランジスターＱ７の遮断を駆動することにより、グラウンドから充電制御回路２００に入った直流が回路を形成できなくようにし、充電制御回路２００における部品を破損から保護する目的を達成する。
【００６７】
前記のように、本発明の実施例は、電源アダプター１００と充電制御回路２００とを含む電池充電装置を適用して、電子機器における電池４００に対する充電制御を行う。電池４００に対する通常の充電或いは急速充電を行う過程において、電源アダプター１００は、充電制御回路２００とのデータ通信を行い、電源アダプター１００がその通信インタフェース１０が出力した直流に過電圧及び／又は過電流が発生した判定する時、電源アダプター１００は、充電制御回路２００に電子機器における制御器３００を駆動すること告知して電子機器の通信インタフェース２０をオフさせ、且つ自ら直流電流の出力をオフする。充電制御回路２００が電源アダプター１００の出力電圧及び出力電流を受信して、過電圧及び／又は過電流が発生したと判定する時、充電制御回路２００は、電源アダプター１００に直流電流の出力をオフすることを告知し、且つ電子機器における制御器３００を駆動し、電子機器の通信インタフェース２０をオフすることにより、電源アダプター１００の通信インタフェース１０に過電圧及び／又は過電流出力が発生する時、電池４００に対する過電圧及び／又は過電流保護を実現する。
【００６８】
上記の内容は、ただ本発明の好ましい実施例であり、本発明を制限するものではない。本発明の原理及び主旨から逸脱しないで行われる補正、切り替え、及び改善などは、いずれも本発明の特許請求の範囲に組み込まれるべきである。
【手続補正２】
【補正対象書類名】特許請求の範囲
【補正対象項目名】全文
【補正方法】変更
【補正の内容】
【特許請求の範囲】
【請求項１】
電池充電装置は、電源アダプターと、充電制御回路とを含み、
前記充電制御回路は、電子機器に内装され、且つ前記電子機器における制御器及び電池に接続され、前記電源アダプターは、その通信インタフェースを介して、前記電子機器の通信インタフェースに接続され、且つ前記電池は、前記電子機器の通信インタフェースを介して、前記電源アダプターから充電を取得し、前記充電制御回路は、前記電子機器の通信インタフェースを介して、前記電源アダプターとデータ通信を行い、
前記電池に対する通常の充電或いは急速充電を行う時、前記電源アダプターは、まず、その出力電圧が電圧閾値より大きいか否か、及び出力電流が電流閾値より大きいか否かを判断し、前記出力電圧が電圧閾値より大きい、及び／又は前記出力電流が電流閾値より大きい場合、前記電源アダプターは、前記充電制御回路に第１充電遮断指令を送信し、且つ自ら直流電流の出力をオフし、前記充電制御回路は、前記第１充電遮断指令に基づいて、前記制御器を駆動し、前記電子機器の通信インタフェースをオフし、前記出力電圧が電圧閾値以下であり、且つ前記出力電流が電流閾値以下である場合、前記電源アダプターは、出力電圧情報及び出力電流情報を前記充電制御回路にフィードバックし、前記充電制御回路が前記出力電圧情報及び前記出力電流情報に基づいて、前記電源アダプターの出力電圧が電圧閾値より大きい、及び／又は前記電源アダプターの出力電流が電流閾値大きいと判定する時、前記充電制御回路は、前記電源アダプターに第２充電遮断指令をフィードバックし、且つ前記制御器を駆動し、前記電子機器の通信インタフェースをオフし、前記電源アダプターは、前記第２充電遮断指令に基づいて、直流電流の出力をオフし、前記充電制御回路が前記出力電圧情報及び前記出力電流情報に基づいて、前記電源アダプターの出力電圧が電圧閾値以下であり、且つ前記電源アダプターの出力電流が電流閾値以下であると判定する場合、前記電源アダプターは、続いてその出力電圧及び出力電流に対して判断を行う、
電池充電装置。
【請求項２】
前記アダプターは、
ＥＭＩフィルター回路と、高電圧整流フィルター回路と、隔離変圧器と、出力フィルター回路と、電圧トラッキングと、制御回路とを含み、前記ＥＭＩフィルター回路は、商用電源に電磁波ノイズフィルタリングを行うように配置され、前記高電圧整流フィルター回路は、整流フィルター処理を行い、高電圧直流電流を出力するように配置され、前記隔離変圧器は、前記高電圧直流電流を電気隔離させるように配置され、前記出力フィルター回路は、前記隔離変圧器の出力電圧にフィルター処理を行うように配置され、電池に対して充電を行い、前記電圧トラッキングと制御回路は、前記出力フィルター回路の出力電圧に基づいて、前記隔離変圧器の前記出力電圧を調整するように配置され、
前記電源アダプターは、電源回路と、主制御回路と、電位調整回路と、電流検出回路と、電圧検出回路と、出力スイッチ回路とを更に含み、
前記電源回路の入力ポートは、前記隔離変圧器の二次ポートに接続され、前記主制御回路の電源ポート、前記電位調整回路の電源ポート及び前記電流検出回路の電源ポートは、前記電源回路の出力ポートに共通に接続され、前記主制御回路の高電位ポート及び前記電位調整回路の高電位ポートは、いずれも前記出力フィルター回路の正出力ポートに接続され、前記電位調整回路の電位調節ポートは、前記電圧トラッキングと制御回路に接続され、前記電流検出回路の直流入力ポートは、前記出力フィルター回路の正出力ポートに接続され、前記電流検出回路の電流検出フィードバックポートは、前記主制御回路の電流検出ポートに接続され、前記主制御回路のクロック出力ポートとデータ出力ポートは、前記電位調整回路のクロック入力ポートとデータ入力ポートに接続され、前記電圧検出回路の第１検出ポートと第２検出ポートは、各々前記電流検出回路の直流電流の出力ポートと前記出力フィルター回路の負出力ポートに接続され、前記電圧検出回路の第１出力ポートと第２出力ポートは、各々前記主制御回路の第１電圧検出ポートと第２電圧検出ポートに接続され、前記出力スイッチ回路の入力ポートは、前記電流検出回路の直流電流の出力ポートに接続され、前記出力スイッチ回路の出力ポートは、前記電圧検出回路の第３検出ポートに接続され、前記出力スイッチ回路の接地ポートは、前記出力フィルター回路の負出力ポートに接続され、前記出力スイッチ回路の被制御ポートと電源ポートは、各々前記主制御回路のスイッチ制御ポートと前記隔離変圧器の二次ポートに接続され、前記出力フィルター回路の負出力ポート、前記出力スイッチ回路の出力ポート、前記主制御回路の第１通信ポート及び第２通信ポートは、いずれも前記電源アダプターの通信インタフェースに接続され、
前記電源回路は、前記隔離変圧器から電源を取得し、且つ前記主制御回路、前記電位調整回路及び前記電流検出回路に給電し、前記電子機器における電池に対する急速充電を行う時、前記電位調整回路は、前記主制御回路が送信した制御信号に基づいて、前記電圧トラッキングと制御回路を駆動し、前記隔離変圧器の出力電圧を調整させることにより、前記電池に対する急速充電を行い、前記電流検出回路と前記電圧検出回路は、各々前記電源アダプターの出力電流と出力電圧に対する検出を行い、且つそれに応じて、電流検出信号及び電圧検出信号を前記主制御回路にフィードバックし、前記出力スイッチ回路は、前記主制御回路が送信したスイッチ制御信号に基づいて、前記電源アダプターの直流電流の出力をオンオフし、
前記電池に対する通常の充電或いは急速充電を行う時、前記主制御回路は、前記電流検出信号に基づいて、前記電源アダプターの出力電流が電流閾値より大きいか否かを判断し、且つ前記電圧検出信号に基づいて、前記電源アダプターの出力電圧が電圧閾値より大きいか否かを判断し、前記出力電圧が前記電圧閾値より大きい、及び／又は前記出力電流が電流閾値より大きい場合、前記主制御回路は、前記充電制御回路に第１充電遮断指令を送信し、且つ前記出力スイッチ回路を制御し、前記電源アダプターの直流電流の出力をオフさせ、前記充電制御回路は、前記第１充電遮断指令に基づいて、前記制御器を駆動し、前記電子機器の通信インタフェースをオフし、
前記出力電圧が電圧閾値以下であり、且つ前記出力電流が電流閾値以下である場合、前記主制御回路は、前記電圧検出信号及び前記電流検出信号に基づいて、前記充電制御回路に出力電圧情報及び出力電流情報をフィードバックし、前記充電制御回路は、前記出力電圧情報和前記出力電流情報に基づいて、前記出力電圧が前記電圧閾値より大きいか否かを判断し、且つ前記出力電流が前記電流閾値より大きいか否かを判断し、前記出力電圧が前記電圧閾値より大きい、及び／又は前記出力電流が電流閾値より大きい場合、前記充電制御回路は、前記主制御回路に第２充電遮断指令をフィードバックし、且つ前記制御器を駆動し、前記電子機器の通信インタフェースをオフし、前記主制御回路は、前記第２充電遮断指令に基づいて、前記出力スイッチ回路を制御し、前記電源アダプターの直流電流の出力をオフする、
請求項１に記載の電池充電装置。
【請求項３】
前記電源回路は、
第１コンデンサーと、レギュレーターチップと、第２コンデンサーと、第１インダクターと、第２インダクターと、第１ダイオードと、第２ダイオードと、第３コンデンサーと、第１抵抗器と、第２抵抗器とを含み、
前記第１コンデンサーの第１端と前記レギュレーターチップの入力電源ピンとイネーブルピンとの共通接続点は、前記電源回路の入力ポートであり、前記第１コンデンサーの第２端と前記レギュレーターチップのグラウンドピンは、共通に接地され、前記レギュレーターチップのスイッチピンと前記第２コンデンサーの第１端は、前記第１インダクターの第１端に共通に接続され、前記レギュレーターチップの内部スイッチピンと前記第２コンデンサーの第２端は、前記第１ダイオードの陰極に共通に接続され、前記レギュレーターチップのフィードバック電圧ピンは、前記第１抵抗器の第１端及び前記第２抵抗器の第１端に接続され、前記第１インダクターの第２端と前記第２ダイオードの陰極は、前記第２インダクターの第１端に共通に接続され、前記第２インダクターの第２端、前記第１ダイオードの陽極、前記第１抵抗器の第２端及び前記第３コンデンサーの第１端で共通に接続されて形成される共通接続点は、前記電源回路の出力ポートであり、前記第２ダイオードの陽極は、前記第２抵抗器の第２端及び前記第３コンデンサーの第２端と共通に接地される、
請求項２に記載の電池充電装置。
【請求項４】
前記主制御回路は、
主制御チップと、第３抵抗器と、基準電圧チップと、第４抵抗器と、第５抵抗器と、第４コンデンサーと、第６抵抗器と、第７抵抗器と、第１ＮＭＯＳトランジスターと、第８抵抗器と、第９抵抗器と、第１０抵抗器と、第１１抵抗器と、第１２抵抗器と、第１３抵抗器と、第１４抵抗器とを含み、
前記主制御チップの電源ピンは、前記主制御回路の電源ポートであり、前記主制御チップのグラウンドピンは接地され、前記主制御チップの第１入力出力ピンは、未接続され、前記第３抵抗器の第１端は、前記主制御チップの電源ピンに接続され、前記第３抵抗器の第２端と前記第４抵抗器の第１端は、前記基準電圧チップの正極に共通に接続され、前記基準電圧チップの負極は、接地され、前記基準電圧チップＵ３の未接続ピンは、未接続され、前記第４抵抗器の第２端は、前記主制御チップの第２入力出力ピンに接続され、前記主制御チップの第３入力出力ピンは、前記主制御回路の電流検出ポートであり、前記主制御チップの第４入力出力ピンは、前記第５抵抗器の第１端に接続され、前記第５抵抗器の第２端と前記第４抵抗器の第１端は、前記主制御チップの電源ピンに共通に接続され、前記第４コンデンサーの第２端は、接地され、前記主制御チップの第５入力出力ピンは、前記主制御回路のスイッチ制御ポートであり、前記主制御チップの第６入力出力ピンは、前記第６抵抗器の第１端に接続され、前記第６抵抗器の第２端と前記第１ＮＭＯＳトランジスターのゲート電極は、前記第７抵抗器の第１端に共通に接続され、前記第７抵抗器の第２端と前記第１ＮＭＯＳトランジスターのソース電極は、共通に接地され、前記第１ＮＭＯＳトランジスターのドレイン電極は、前記第８抵抗器の第１端に接続され、前記第８抵抗器の第２端は、前記主制御回路の高電位ポートであり、前記主制御チップの第７入力出力ピンと第８入力出力ピンは、それぞれ前記主制御回路のクロック出力ポートとデータ出力ポートであり、前記主制御チップの第１０入力出力ピンと第９入力出力ピンは、それぞれ前記主制御回路の第１電圧検出ポートと第２電圧検出ポートであり、前記主制御チップの第１１入力出力ピンと前記第１２入力出力ピンは、各々前記第９抵抗器の第１端と前記第１０抵抗器の第１端に接続され、前記第１１抵抗器の第１端と前記第１２抵抗器の第１端は、各々前記第９抵抗器の第２端と前記第１０抵抗器の第２端に接続され、前記第１１抵抗器の第２端と前記第１２抵抗器の第２端は、共通に接地され、前記第１３抵抗器の第１端と前記１４抵抗器の第１端は、各々前記第９抵抗器の第２端と前記第１０抵抗器の第２端に接続され、前記第１３抵抗器の第２端と前記１４抵抗器の第２端は、前記主制御チップの電源ピンに共通に接続され、前記第９抵抗器の第２端と前記第１０抵抗器の第２端は、それぞれ前記主制御回路の第１通信ポートと第２通信ポートである、
請求項２に記載の電池充電装置。
【請求項５】
前記電位調整回路は、
第１５抵抗器と、第１６抵抗器と、ディジタルポテンショメータと、第１７抵抗器と、第１８抵抗器と、第５コンデンサーと、第６コンデンサーと、第１９抵抗器とを含み、
前記第１５抵抗器の第１端と、前記第１６抵抗器の第１端と、前記ディジタルポテンショメータの電源ピンと、前記第５コンデンサーの第１端との共通接続点は、前記電位調整回路の電源ポートであり、前記第５コンデンサーの第２端は、前記第６コンデンサーの第１端、前記ディジタルポテンショメータのグラウンドピン及び前記第１７抵抗器の第１端と共通に接地され、前記第６コンデンサーの第２端は、前記ディジタルポテンショメータの電源ピンに接続され、前記第１５抵抗器の第２端と前記ディジタルポテンショメータの直列データピンとの共通接続点は、前記電位調整回路のデータ入力ポートであり、前記第１６抵抗器の第２端と前記ディジタルポテンショメータのクロック入力ピンとの共通接続点は、前記電位調整回路のクロック入力ポートであり、前記ディジタルポテンショメータのゼロアドレスピンは、接地され、前記ディジタルポテンショメータの第１電位配線ピンと前記第１８抵抗器の第１端は、前記第１７抵抗器の第２端に共通に接続され、前記第１８抵抗器の第２端と前記ディジタルポテンショメータの第２電位配線ピンは、前記第１９抵抗器の第１端に共通に接続され、前記第１９抵抗器の第２端は、前記電位調整回路の高電位ポートであり、前記ディジタルポテンショメータの電位タップポートピンは、前記電位調整回路の電位調節ポートである、
請求項２に記載の電池充電装置。
【請求項６】
前記電流検出回路は、
第２０抵抗器と、第２１抵抗器と、第２２抵抗器と、第７コンデンサーと、第８コンデンサーと、電流検出チップと、第２３抵抗器と、第１０コンデンサーと、第１０コンデンサーと、第２４抵抗器とを含み、
前記第２０抵抗器の第１端と第２端は、それぞれ前記電流検出回路の直流入力ポートと直流電流の出力ポートであり、前記第２１抵抗器の第１端と前記第２２抵抗器の第１端は、各々前記第２０抵抗器の第１端と第２端に接続され、前記第２１抵抗器の第２端と前記第７コンデンサーの第１端は、前記電流検出チップの入力正ピンに共通に接続され、前記第２２抵抗器の第２端と前記第８コンデンサーの第１端は、前記電流検出チップの入力負ピンに共通に接続され、前記電流検出チップの電源ピンと前記第９コンデンサーの第１端との共通接続点は、前記電流検出回路の電源ポートであり、前記電流検出チップの未接続ピンは、未接続され、前記電流検出チップの出力ピンは、前記第２３抵抗器の第１端に接続され、前記第２３抵抗器の第２端は、前記電流検出回路の電流検出フィードバックポートであり、前記第１０コンデンサーの第１端と前記第２４抵抗器の第１端は、前記第２３抵抗器の第２端に共通に接続され、前記第７コンデンサーの第２端は、前記第８コンデンサーの第２端、前記第９コンデンサーの第２端、前記第１０コンデンサーの第２端、前記第２４抵抗器の第２端、前記電流検出チップのグラウンドピン、前記第１基準電圧ピン及び前記第２基準電圧ピンと共通に接地される、
請求項２に記載の電池充電装置。
【請求項７】
前記電圧検出回路は、
第２５抵抗器と、第２６抵抗器と、第１１コンデンサーと、第１２コンデンサーと、第２７抵抗器と、第２８抵抗器とを含み、
前記第２５抵抗器の第１端は、前記電圧検出回路の第１検出ポートであり、前記第２５抵抗器の第２端と、前記第２６抵抗器の第１端と、前記第１１コンデンサーの第１端との共通接続点は、前記電圧検出回路の第２出力ポートであり、前記第２６抵抗器の第２端は、前記電圧検出回路の第２検出ポートであり、前記第１１コンデンサーの第２端は、前記第１２コンデンサーの第１端及び前記第２７抵抗器の第１端と前記第２６抵抗器の第２端に共通に接続され、前記第１２コンデンサーの第２端と、前記第２７抵抗器の第２端と、前記第２８抵抗器の第１端との共通接続点は、前記電圧検出回路の第１出力ポートであり、前記第２８抵抗器の第２端は、前記電圧検出回路の第３検出ポートである、
請求項２に記載の電池充電装置。
【請求項８】
前記出力スイッチ回路は、第２９抵抗器と、第３０抵抗器と、第１３コンデンサーと、第３１抵抗器と、第１ＮＰＮ型トライオードと、第３２抵抗器と、第２ＮＰＮ型トライオードと、第３ダイオードと、定電圧ダイオードと、第３３抵抗器と、第３４抵抗器と、第３５抵抗器と、第２ＮＭＯＳトランジスターと、第３ＮＭＯＳトランジスターとを含み、
前記第２９抵抗器の第１端は、前記出力スイッチ回路の被制御ポートであり、前記第２９抵抗器の第２端と前記第３０抵抗器の第１端は、前記第１ＮＰＮ型トライオードのベース電極に共通に接続され、前記第１３コンデンサーの第１端は、前記第３１抵抗器の第１端及び前記第３２抵抗器の第１端と前記第３ダイオードの陰極に共通に接続され、前記第３ダイオードの陽極は、前記出力スイッチ回路の電源ポートであり、前記第３１抵抗器の第２端と前記第２ＮＰＮ型トライオードのベース電極は、前記第１ＮＰＮ型トライオードのコレクター電極に共通に接続され、前記第３２抵抗器の第２端は、前記定電圧ダイオードの陰極及び前記第３３抵抗器の第１端と前記第２ＮＰＮ型トライオードのコレクター電極に共通に接続され、前記第３０抵抗器の第２端は、前記第１３コンデンサーの第２端、前記第１ＮＰＮ型トライオードのエミッタ電極、前記第２ＮＰＮ型トライオードのエミッタ電極及び前記定電圧ダイオードの陽極と共通に接地され、前記第３３抵抗器の第２端は、前記第３４抵抗器の第１端、前記第３５抵抗器の第１端、前記第２ＮＭＯＳトランジスターのゲート電極及び前記第３ＮＭＯＳトランジスターのゲート電極と共通に接続され、前記第３４抵抗器の第２端は、前記出力スイッチ回路の接地ポートであり、前記第２ＮＭＯＳトランジスターのドレイン電極は、前記出力スイッチ回路の入力ポートであり、前記第２ＮＭＯＳトランジスターのソース電極と前記第３５抵抗器の第２端は、前記第３ＮＭＯＳトランジスターのソース電極に共通に接続され、前記第３ＮＭＯＳトランジスターのドレイン電極は、前記出力スイッチ回路の出力ポートである、
請求項２に記載の電池充電装置。
【請求項９】
前記充電制御回路は、
電池ジョインターと、主制御器と、第３６抵抗器と、第３７抵抗器と、第１４コンデンサーと、第１ショットキーダイオードと、第２ショットキーダイオードと、第１５コンデンサーと、第１６コンデンサーと、第３８抵抗器と、第３９抵抗器と、第４０抵抗器と、第３ＮＰＮ型トライオードと、第４ＮＭＯＳトランジスターと、第５ＮＭＯＳトランジスターとを含み、
前記電池ジョインターは、前記電池の電極に接続され、前記電池ジョインターの第１ピンと第２ピンは、共通に接地され、前記電池ジョインターの第１接地ピンと第２接地ピンは、共通に接地され、前記主制御器の第１入力出力ピンは、前記電池ジョインターの第７ピン及び第８ピンに接続され、前記主制御器の第２入力出力ピン、第７入力出力ピン、第８入力出力ピン及び第９入力出力ピンは、各々前記電池ジョインターの第６ピン、第５ピン、第４ピン及び第３ピンに接続され、前記主制御器のアナロググラウンドピンとグラウンドピンは、いずれも接地され、前記主制御器の第１未接続ピンと第２未接続ピンは、いずれも未接続され、前記主制御器の電源ピンと前記第１６コンデンサーの第１端は、いずれも前記電池ジョインターの第７ピンと第８ピンに共通に接続され、前記主制御器の第４入力出力ピン及び前記第１１入力出力ピンは、前記電子機器における制御器とのデータ通信を行い、前記第３６抵抗器は、前記主制御器の第４入力出力ピンと電源ピンとの間に接続され、前記主制御器の第６入力出力ピンと第１２入力出力ピンは、各々前記アダプターにおける主制御回路の第１通信ポートと第２通信ポートに接続され、前記第３７抵抗器の第１端と前記第３８抵抗器の第１端は、前記主制御器の第１０入力出力ポートに共通に接続され、前記第３７抵抗器の第２端は、前記主制御器の電源ピンに接続され、前記第３８抵抗器の第２端は、前記第３ＮＰＮ型トライオードのベース電極に接続され、前記主制御器の第５入力出力ポートは、前記第１４コンデンサーの第１端に接続され、前記第１４コンデンサーの第２端と前記第１ショットキーダイオードの陰極は、前記第２ショットキーダイオードの陽極に共通に接続され、前記第３９抵抗器の第１端と前記第１５コンデンサーの第１端は、前記第２ショットキーダイオードの陰極に共通に接続され、前記第３９抵抗器の第２端は、前記第４０抵抗器の第１端及び前記第３ＮＰＮ型トライオードのコレクター電極といずれも前記第４ＮＭＯＳトランジスターのゲート電極及び前記第５ＮＭＯＳトランジスターのゲート電極に接続され、前記第４０抵抗器の第２端と前記第１５コンデンサーの第２端は、共通に接地され、前記第４ＮＭＯＳトランジスターのソース電極は、前記第１ショットキーダイオードの陽極に接続され、且つ前記電池ジョインターの第７ピン及び第８ピンにも接続され、前記第４ＮＭＯＳトランジスターのドレイン電極は、前記第５ＮＭＯＳトランジスターのドレイン電極に接続され、前記第５ＮＭＯＳトランジスターのソース電極は、前記電子機器の通信インタフェースの電源線に接続され、前記第３ＮＰＮ型トライオードのエミッタ電極は、前記第３ショットキーダイオードの陽極に接続され、前記第３ショットキーダイオードの陰極は、接地される、
請求項１に記載の電池充電装置。
【請求項１０】
前記充電制御回路は、第６ＮＭＯＳトランジスターと、第７ＮＭＯＳトランジスターと、第４１抵抗器を更に含み、前記第６ＮＭＯＳトランジスターのソース電極は、前記第５ＮＭＯＳトランジスターのソース電極に接続され、前記第６ＮＭＯＳトランジスターのドレイン電極は、前記第７ＮＭＯＳトランジスターのドレイン電極に接続され、前記第７ＮＭＯＳトランジスターのソース電極は、前記第３ＮＰＮ型トライオードのコレクター電極に接続され、前記第６ＮＭＯＳトランジスターのゲート電極と前記第７ＮＭＯＳトランジスターのゲート電極は、前記第４１抵抗器の第１端に共通に接続され、前記第４１抵抗器の第２端は、接地される、
請求項９に記載の電池充電装置。
【請求項１１】
電池充電装置に基づいた電池充電保護制御方法であって、
前記電池充電装置は、
電源アダプターと、充電制御回路とを含み、前記充電制御回路は、電子機器に内装され、且つ前記電子機器における制御器及び電池に接続され、前記電源アダプターは、その通信インタフェースを介して、前記電子機器の通信インタフェースに接続され、且つ前記電池は、前記電子機器の通信インタフェースを介して、前記電源アダプターから充電を取得し、前記充電制御回路は、前記電子機器の通信インタフェースを介して、前記電源アダプターとデータ通信を行い、
前記電池充電保護制御方法は、
電子機器における電池に対して通常の充電或いは急速充電を行う時、前記電源アダプターは、その出力電圧が電圧閾値より大きいか否かを判断し、且つその出力電流が電流閾値より大きいか否かを判断すると、
前記出力電圧が電圧閾値より大きい、及び／又は前記出力電流が電流閾値より大きい場合、前記電源アダプターは、前記充電制御回路に第１充電遮断指令を送信し、且つ自ら直流電流の出力をオフすることと、
前記充電制御回路は、前記第１充電遮断指令に基づいて、前記電子機器における制御器を駆動し、前記電子機器の通信インタフェースをオフすることと、
前記出力電圧が電圧閾値以下であり、且つ前記出力電流が電流閾値以下である場合、前記電源アダプターは、出力電圧情報及び出力電流情報を前記充電制御回路にフィードバックすることと、
前記充電制御回路は、前記出力電圧情報及び前記出力電流情報に基づいて、前記電源アダプターの出力電圧が電圧閾値より大きいか否かを判断し、且つ前記電源アダプターの出力電流が電流閾値より大きいか否かを判断すると、
前記電源アダプターの出力電圧が電圧閾値より大きい、及び／又は前記電源アダプターの出力電流が電流閾値より大きい場合、前記充電制御回路は、前記電源アダプターに第２充電遮断指令をフィードバックし、且つ前記制御器を駆動し、前記電子機器の通信インタフェースをオフすることと、
前記電源アダプターは、前記第２充電遮断指令に基づいて、直流電流の出力をオフすることと、
前記電源アダプターの出力電圧が電圧閾値以下であり、且つ前記電源アダプターの出力電流が電流閾値以下である場合、前記電源アダプターは、その出力電圧が電圧閾値より大きいか否かを判断し、且つその出力電流が電流閾値より大きいか否かを判断することを継続することを含む、
電池充電保護制御方法。
【請求項１２】
前記電源アダプターより、出力電圧情報及び出力電流情報を前記充電制御回路にフィードバックすることは、
前記充電制御回路は、前記電源アダプターに充電パラメータ取得請求を送信し、
前記電源アダプターは、前記充電パラメータ取得請求に基づいて、出力電圧情報及び出力電流情報を前記充電制御回路にフィードバックするステップを含む、
請求項１１に記載の電池充電保護制御方法。
【請求項１３】
前記電池に対して急速充電を行う時、前記充電制御回路は、前記第１充電遮断指令に基づいて、前記電子機器における制御器を駆動し、前記電子機器の通信インタフェースをオフすることは、具体的に、
前記充電制御回路は、前記第１充電遮断指令に基づいて、前記電源アダプターから直流を引き込んで前記電池に対して充電を行うことを停止し、且つ前記制御器を駆動し、前記電子機器の通信インタフェースをオフする、
請求項１１に記載の電池充電保護制御方法。
【請求項１４】
前記電池に対して急速充電を行う時、前記充電制御回路は、前記電源アダプターに第２充電遮断指令をフィードバックし、且つ前記制御器を駆動し、前記電子機器の通信インタフェースをオフすることは、
前記充電制御回路は、前記電源アダプターに第２充電遮断指令をフィードバックし、
前記充電制御回路は、前記第２充電遮断指令に基づいて、前記電源アダプターから直流を引き込んで前記電池に対する充電を行うことを停止し、且つ前記制御器を駆動し、前記電子機器の通信インタフェースをオフする、ことを含む、
請求項１１に記載の電池充電保護制御方法。
【請求項１５】
前記主制御器は、前記電池の電圧及び電量情報を電子機器の制御器に伝送することができ、前記電池の電圧に基づいて、前記電池が急速充電のプロセスを完成したか否かを判断し、若し「はい」であれば、急速充電遮断指令をフィードバックして、前記電子機器に充電モードを急速充電モードから通常の充電モードに変換させることを告知するように配置される、
請求項９に記載の電池充電装置。
【請求項１６】
前記主制御器は、充電を行う過程において、前記電池の電圧に基づいて、前記電源アダプターと前記電池との間の接続が遮断される否かを判断し、若し「はい」であれば、前記制御器に充電停止指令をフィードバックして前記電子機器の通信インタフェースをオフすることを告知するように配置される、
請求項９に記載の電池充電装置。
【請求項１７】
前記電子機器における制御器は、前記電池の温度が異常である時、前記主制御器に指示信号をフィードバックするように配置され、
前記主制御器は、前記指示信号に基づいて、前記第４ＮＭＯＳトランジスターと前記第５ＮＭＯＳトランジスターをオフするように配置され、
前記電子機器は、充電モードを急速充電モードから通常の充電モードに変換するように配置される、
請求項９に記載の電池充電装置。
【請求項１８】
前記電池の電圧に基づいて、前記電池が急速充電のプロセスを完成したか否かを判断し、及び、
若し「はい」であれば、急速充電遮断指令をフィードバックして、前記電子機器に充電モードを急速充電モードから通常の充電モードに変換させることを告知するように配置されることを更に含む、
請求項１１に記載の電池充電保護制御方法。
【請求項１９】
前記主制御器は、充電を行う過程において、前記電池の電圧に基づいて、前記電源アダプターと前記電池との間の接続が遮断される否かを判断し、及び、
若し「はい」であれば、前記制御器に充電停止指令をフィードバックして前記電子機器の通信インタフェースをオフすることを告知するように配置されることを更に含む、
請求項１１に記載の電池充電保護制御方法。
【請求項２０】
前記電池の温度を検知し、
前記電池の温度が異常である場合、前記電源アダプターを制御することにより、前記電池に対する急速充電を停止させ、及び前記電子機器の充電モードを急速充電モードから通常の充電モードに変換させる、
請求項１１に記載の電池充電保護制御方法。
【手続補正４】
【補正対象書類名】図面
【補正対象項目名】全図
【補正方法】変更
【補正の内容】
【図１】
2017506054.tif 000009
【図２】
2017506054.tif 000010
【図３】
2017506054.tif 000011
【図４】
2017506054.tif 000012
【図５】
2017506054.tif 000013
【図６】
2017506054.tif 000014
【手続補正書】
【提出日】平成28年8月3日(2016.8.3)
【手続補正１】
【補正対象書類名】明細書
【補正対象項目名】００５３
【補正方法】変更
【補正の内容】
【００５３】
第１５抵抗器Ｒ１５の第１端と第１６抵抗器Ｒ１６の第１端、ディジタルポテンショメータＵ４の電源ピンＶＤＤと第５コンデンサーＣ５の第１端との共通接続点は、電位調整回路１０８の電源ポートであり、第５コンデンサーＣ５の第２端は、第６コンデンサーＣ６の第１端、ディジタルポテンショメータＵ４のグラウンドピンＶＳＳ及び第１７抵抗器Ｒ１７の第１端と共通に接地され、第６コンデンサーＣ６の第２端は、ディジタルポテンショメータＵ４の電源ピンＶＤＤに接続され、第１５抵抗器Ｒ１５の第２端とディジタルポテンショメータＵ４の直列データピンＳＤＡとの共通接続点は、電位調整回路１０８のデータ入力ポートであり、第１６抵抗器Ｒ１６の第２端とディジタルポテンショメータＵ４のクロック入力ピンＳＣＬとの共通接続点は、電位調整回路１０８のクロック入力ポートであり、ディジタルポテンショメータＵ４のゼロアドレスピンＡ０は接地され、ディジタルポテンショメータＵ４の第１電位配線ピンＰ０Ａと第１８抵抗器Ｒ１８の第１端は、第１７抵抗器Ｒ１７の第２端に共通に接続され、第１８抵抗器Ｒ１８の第２端とディジタルポテンショメータＵ４の第２電位配線ピンＰ０Ｂは、第１９抵抗器Ｒ１９の第１端に共通に接続され、第１９抵抗器Ｒ１９の第２端は、電位調整回路１０８の高電位ポートであり、ディジタルポテンショメータＵ４の電位タップポートピンＰ０Ｗは、電位調整回路１０８の電位調節ポートである。その中で、ディジタルポテンショメータＵ４は、主制御チップＵ２が出力したクロック信号及びデータ信号に基づいて、内部の滑り抵抗器を調整することにより、内部滑り抵抗器のタップポート端（即ち、ディジタルポテンショメータＵ４の電位タップポートピンＰ０Ｗ）の電位に変化が発生し、更には、電圧トラッキングと制御回路１０５が該電位変化に沿って、隔離変圧器１０３の出力電圧に対する調整を行わせる。少なくとも一つの実施例において、ディジタルポテンショメータＵ４は、ＭＣＰ４５Ｘ１のディジタルポテンショメータであって可能である。
【国際調査報告】
2017506054.tif 000015
2017506054.tif 000016
2017506054.tif 000017
2017506054.tif 000018
2017506054.tif 000019
2017506054.tif 000020